(57)【要約】  本発明の諸実施形態は、電力制御の方法および装置を開示し、無線通信の分野に関し、基地局のエア・インタフェースの電力圧力を軽減し安定的なネットワーク環境を保証することを目的とする。本発明の方法は、エア・インタフェースの受信総広帯域電力ＲＴＷＰが設定された第１の輻輳閾値を超過したかどうかを判定するステップと、当該エア・インタフェースのＲＴＷＰが当該第１の設定輻輳閾値を超過したときには、輻輳指示を無線ネットワーク・コントローラＲＮＣに送信するステップであって、当該輻輳指示は、当該ＲＮＣはターゲット信号対雑音比ＳＩＲを上方制御することを禁じられていることを示すために使用されるステップと、当該ＲＮＣにより送信されたターゲットＳＩＲを受信するステップと、当該ＲＮＣにより送信されたターゲットＳＩＲを下方制御するステップと、下方制御したターゲットＳＩＲに基づいて、送信電力を減らすようにユーザ装置ＵＥに通知するステップとを含む。本発明は主に電力制御の分野に適用される。
2015500594.tif 000002
【特許請求の範囲】
【請求項１】
エア・インタフェースの受信総広帯域電力ＲＴＷＰが設定された第１の輻輳閾値を超過したかどうかを判定するステップと、
前記エア・インタフェースの前記ＲＴＷＰが設定された前記第１の輻輳閾値を超過したときには、輻輳指示を無線ネットワーク・コントローラＲＮＣに送信するステップであって、前記輻輳指示は、前記ＲＮＣがターゲット信号対雑音比ＳＩＲを上方制御することを禁じられていることを示すために使用されるステップと、
前記ＲＮＣにより送信されたターゲットＳＩＲを受信するステップと、
前記ＲＮＣにより送信された前記ターゲットＳＩＲを下方制御するステップと、
下方制御した前記ターゲットＳＩＲに基づいて、送信電力を減らすようにユーザ装置ＵＥに通知するステップと、
を含む、電力制御方法。
【請求項２】
エア・インタフェースの受信総広帯域電力ＲＴＷＰが設定された第１の輻輳閾値を超過したかどうかを判定するステップの前に、
パケット交換ドメイン・サービスを実行しているＵＥを下方制御が優先的に実施されているＵＥとして設定するステップと、
データ送信を行っていないＵＥを下方制御が優先的に実施されているＵＥとして設定するステップと、
を含む、請求項１に記載の電力制御方法。
【請求項３】
前記第１の輻輳閾値より小さい第２の輻輳閾値を設定するステップと、
エア・インタフェースの受信総広帯域電力ＲＴＷＰが第１の輻輳閾値を超過したかどうかを判定する前に、
前記エア・インタフェースの前記ＲＴＷＰが前記第２の輻輳閾値を超過したかどうかを判定するステップと、
前記エア・インタフェースの前記ＲＴＷＰが前記第２の輻輳閾値を超過したときには、輻輳指示を無線ネットワーク・コントローラＲＮＣに送信するステップの前に、
前記ＲＮＣにより送信された、下方制御が優先的に実施されているＵＥのターゲットＳＩＲを受信し、
前記ＲＮＣにより送信された、下方制御が優先的に実施されている前記ＵＥの前記ターゲットＳＩＲを下方制御し、
下方制御した前記ターゲットＳＩＲに基づいて、下方制御が優先的に実施されている前記ＵＥに送信電力を減らすよう通知するステップと、
をさらに含む、請求項２に記載の電力制御方法。
【請求項４】
前記エア・インタフェースの前記ＲＴＷＰが設定された前記第１の輻輳閾値を超過したときには、輻輳指示を無線ネットワーク・コントローラＲＮＣに送信するステップの前に、アップリンク・パケット・スケジューリングを停止するステップをさらに含む、請求項１乃至３の何れか１項に記載の電力制御方法。
【請求項５】
下方制御した前記ターゲットＳＩＲに基づいて、送信電力を減らすようにユーザ装置ＵＥに通知するステップの後に、
前記エア・インタフェースの前記ＲＴＷＰが前記第１の輻輳閾値より小さいときに、前記ＲＮＣにより送信された前記ターゲットＳＩＲを上方制御するステップであって、前記エア・インタフェースの前記ＲＴＷＰが前記第１の輻輳閾値に等しいときに、上方制御した前記ターゲットＳＩＲは前記ＲＮＣにより送信されたターゲットＳＩＲより大きくないステップ
を含む、請求項１乃至４の何れか１項に記載の電力制御方法。
【請求項６】
エア・インタフェースの受信総広帯域電力ＲＴＷＰが設定された第１の輻輳閾値を超過したかどうかを判定するステップと、
前記エア・インタフェースの前記ＲＴＷＰが設定された前記第１の輻輳閾値を超過したときには、輻輳指示を無線ネットワーク・コントローラＲＮＣに送信するステップであって、前記輻輳指示は、前記ＲＮＣがターゲット信号対雑音比ＳＩＲを上方制御することを禁じられていることを示すために使用されるステップと、
前記ＲＮＣにより送信されたターゲットＳＩＲを受信するステップと、
前記ＲＮＣにより送信された前記ターゲットＳＩＲに基づいて、送信電力を制限するようにユーザ装置ＵＥに通知するステップと、
を含む、電力制御方法。
【請求項７】
前記エア・インタフェースの前記ＲＴＷＰが設定された前記第１の輻輳閾値を超過したときには、前記ＲＮＣにより送信されたターゲットＳＩＲを受信するステップの後に、
前記ＲＮＣにより送信された前記ターゲットＳＩＲを下方制御するステップ
をさらに含み、
前記ＲＮＣにより送信された前記ターゲットＳＩＲに基づいて、送信電力を制限するようにユーザ装置ＵＥに通知するステップはさらに、下方制御した前記ターゲットＳＩＲに基づいて、前記送信電力を減らすように前記ＵＥに通知するステップを含む、
請求項６に記載の電力制御方法。
【請求項８】
エア・インタフェースの受信総広帯域電力ＲＴＷＰが設定された第１の輻輳閾値を超過したかどうかを判定するステップの前に、
パケット交換ドメイン・サービスを実行しているＵＥを下方制御が優先的に実施されているＵＥとして設定するステップと、
データ送信を行っていないＵＥを下方制御が優先的に実施されているＵＥとして設定するステップと、
を含む、請求項６または７に記載の電力制御方法。
【請求項９】
前記第１の輻輳閾値より小さい第２の輻輳閾値を設定するステップと、
エア・インタフェースの受信総広帯域電力ＲＴＷＰが第１の輻輳閾値を超過したかどうかを判定する前に、
前記エア・インタフェースの前記ＲＴＷＰが前記第２の輻輳閾値を超過したかどうかを判定するステップと、
前記エア・インタフェースの前記ＲＴＷＰが前記第２の輻輳閾値を超過したときには、輻輳指示を無線ネットワーク・コントローラＲＮＣに送信するステップの前に、
前記ＲＮＣにより送信された、下方制御が優先的に実施されているＵＥのターゲットＳＩＲを受信し、
前記ＲＮＣにより送信された、下方制御が優先的に実施されている前記ＵＥの前記ターゲットＳＩＲを下方制御し、
下方制御した前記ターゲットＳＩＲに基づいて、下方制御が優先的に実施されている前記ＵＥに送信電力を減らすよう通知するステップと、
請求項８に記載の電力制御方法。
【請求項１０】
前記エア・インタフェースの前記ＲＴＷＰが設定された前記第１の輻輳閾値を超過したときには、輻輳指示を無線ネットワーク・コントローラＲＮＣに送信するステップの前に、アップリンク・パケット・スケジューリングを停止するステップをさらに含む、請求項６乃至９の何れか１項に記載の電力制御方法。
【請求項１１】
下方制御した前記ターゲットＳＩＲに基づいて、送信電力を制限するようにユーザ装置ＵＥに通知するステップの後に、
前記エア・インタフェースの前記ＲＴＷＰが前記第１の輻輳閾値より小さいときに、前記ＲＮＣにより送信された前記ターゲットＳＩＲを上方制御するステップであって、前記エア・インタフェースの前記ＲＴＷＰが前記第１の輻輳閾値に等しいときに、上方制御した前記ターゲットＳＩＲは前記ＲＮＣにより送信されたターゲットＳＩＲより大きくないステップ
をさらに含む、請求項６乃至１０の何れか１項に記載の電力制御方法。
【請求項１２】
無線ネットワーク・コントローラＲＮＣにより送信されたターゲット信号対雑音比ＳＩＲを受信するステップと、
エア・インタフェースの受信総広帯域電力ＲＴＷＰが設定された第１の輻輳閾値を超過したかどうかを判定するステップと、
前記エア・インタフェースの前記ＲＴＷＰが設定された前記第１の輻輳閾値を超過したときには、前記ＲＮＣにより送信された前記ターゲットＳＩＲを下方制御するステップと、
下方制御した前記ターゲットＳＩＲに基づいて、送信電力を減らすようにユーザ装置ＵＥに通知するステップと、
を含む、電力制御方法。
【請求項１３】
前記エア・インタフェースの前記ＲＴＷＰが設定された前記第１の輻輳閾値を超過したときには、前記ＲＮＣにより送信されたターゲットＳＩＲを受信するステップの前に、
輻輳指示を前記ＲＮＣに送信するステップであって、前記輻輳指示は、前記ＲＮＣがターゲット信号対雑音比ＳＩＲを上方制御することを禁じられていることを示すために使用されるステップと、
前記ＲＮＣにより送信された上方制御されていないターゲットＳＩＲを受信するステップと、
をさらに含み、
前記ＲＮＣにより送信された前記ターゲットＳＩＲを下方制御するステップはさらに、前記ＲＮＣにより送信された上方制御されていない前記ターゲットＳＩＲを下方制御するステップを含む、
請求項１２に記載の電力制御方法。
【請求項１４】
エア・インタフェースの受信総広帯域電力ＲＴＷＰが設定された第１の輻輳閾値を超過したかどうかを判定するステップの前に
パケット交換ドメイン・サービスを実行しているＵＥを下方制御が優先的に実施されているＵＥとして設定するステップと、
データ送信を行っていないＵＥを下方制御が優先的に実施されているＵＥとして設定するステップと、
をさらに含む、請求項１２または１３に記載の電力制御方法。
【請求項１５】
前記第１の輻輳閾値より小さい第２の輻輳閾値を設定するステップと、
エア・インタフェースの受信総広帯域電力ＲＴＷＰが第１の輻輳閾値を超過したかどうかを判定する前に、
前記エア・インタフェースの前記ＲＴＷＰが前記第２の輻輳閾値を超過したかどうかを判定するステップと、
前記エア・インタフェースの前記ＲＴＷＰが前記第２の輻輳閾値を超過したときには、前記ＲＮＣにより送信された前記ターゲットＳＩＲを下方制御するステップの前に、
前記ＲＮＣにより送信された、下方制御が優先的に実施されているＵＥのターゲットＳＩＲを受信し、
前記ＲＮＣにより送信された、下方制御が優先的に実施されている前記ＵＥの前記ターゲットＳＩＲを下方制御し、
下方制御した前記ターゲットＳＩＲに基づいて、下方制御が優先的に実施されている前記ＵＥに送信電力を減らすよう通知するステップと、
をさらに含む、請求項１４に記載の電力制御方法。
【請求項１６】
前記エア・インタフェースの前記ＲＴＷＰが設定された前記第１の輻輳閾値を超過したときには、輻輳指示を無線ネットワーク・コントローラＲＮＣに送信するステップの前に、アップリンク・パケット・スケジューリングを停止するステップをさらに含む、請求項１３に記載の電力制御方法。
【請求項１７】
下方制御した前記ターゲットＳＩＲに基づいて、送信電力を減らすようにユーザ装置ＵＥに通知するステップの後に、
前記エア・インタフェースの前記ＲＴＷＰが前記第１の輻輳閾値より小さいときに、前記ＲＮＣにより送信された前記ターゲットＳＩＲを上方制御するステップであって、前記エア・インタフェースの前記ＲＴＷＰが前記第１の輻輳閾値に等しいときに、上方制御した前記ターゲットＳＩＲは前記ＲＮＣにより送信されたターゲットＳＩＲより大きくないステップ
をさらに含む、請求項１２乃至１６の何れか１項に記載の電力制御方法。
【請求項１８】
基地局のエア・インタフェースの受信総広帯域電力ＲＴＷＰが設定された第１の輻輳閾値を超過したと前記基地局が判定したときに、前記基地局により送信された輻輳指示を受信するステップと、
前記輻輳指示に従って、ターゲット信号対雑音比ＳＩＲの上方制御を禁止するステップと、
上方制御されていないターゲットＳＩＲを前記基地局に送信するステップと、
を含む、電力制御方法。
【請求項１９】
前記基地局の前記エア・インタフェースの前記ＲＴＷＰが設定された前記第１の輻輳閾値を超過したと前記基地局が判定したときには、前記基地局により送信された輻輳指示を受信するステップと、
前記輻輳指示に従って、前記ターゲットＳＩＲの上方制御を禁止するステップと、
上方制御されていない前記ターゲットＳＩＲを前記基地局に送信し、前記基地局により、上方制御されていない前記ターゲットＳＩＥを下方制御するステップと、
をさらに含む、請求項１８に記載の電力制御方法。
【請求項２０】
前記輻輳指示に従って、ターゲット信号対雑音比ＳＩＲの上方制御を禁止するステップの後に、前記基地局により送信された次の輻輳指示が事前設定禁止解禁期間に受信されなかった場合には、前記ターゲットＳＩＲの上方制御の禁止を解禁するステップをさらに含む、請求項１８または１９に記載の電力制御方法。
【請求項２１】
エア・インタフェースの受信総広帯域電力ＲＴＷＰが設定された第１の輻輳閾値を超過したかどうかを判定するように構成された第１の判定ユニットと、
前記エア・インタフェースの前記ＲＴＷＰが設定された前記第１の輻輳閾値を超過したと前記第１の判定ユニットが判定したときに、輻輳指示を無線ネットワーク・コントローラＲＮＣに送信するように構成された第１の送信ユニットであって、前記輻輳指示は、前記ＲＮＣがターゲット信号対雑音比ＳＩＲを上方制御することを禁じられていることを示すために使用される第１の送信ユニットと、
前記ＲＮＣにより送信されたターゲットＳＩＲを受信するように構成された第１の受信ユニットと、
前記ＲＮＣにより送信され前記第１の受信ユニットにより受信された前記ターゲットＳＩＲを下方制御するように構成された第１の制御ユニットと、
前記第１の制御ユニットにより下方制御された前記ターゲットＳＩＲに基づいて、送信電力を減らすようにユーザ装置ＵＥに通知するように構成された第１の通知ユニットと、
を備える、電力制御装置。
【請求項２２】
パケット交換ドメイン・サービスを実行しているＵＥを下方制御が優先的に実施されているＵＥとして設定するように構成された第１の設定ユニットであって、前記第１の設定ユニットはデータ送信を行っていないＵＥを下方制御が優先的に実施されているＵＥとして設定するようにさらに構成される第１の設定ユニットをさらに備える、請求項２１に記載の電力制御装置。
【請求項２３】
前記第１の輻輳閾値より小さい第２の輻輳閾値を設定するように構成された第２の設定ユニットをさらに備え、
前記第１の判定ユニットは、前記エア・インタフェースの前記ＲＴＷＰが前記第２の設定ユニットにより設定された前記第２の輻輳閾値を超過したかどうかを判定するようにさらに構成され、
前記エア・インタフェースの前記ＲＴＷＰが前記第２の輻輳閾値を超過したときには、
前記第１の受信ユニットは、前記ＲＮＣにより送信された、下方制御が優先的に実施されているＵＥのターゲットＳＩＲを受信するようにさらに構成され、
前記第１の制御ユニットは、前記ＲＮＣにより送信され前記第１の受信ユニットにより受信される、下方制御が優先的に実施されている前記ＵＥの前記ターゲットＳＩＲを下方制御するようにさらに構成され、
前記第１の通知ユニットは、前記第１の制御ユニットにより下方制御された前記ターゲットＳＩＲに基づいて、下方制御が優先的に実施されている前記ＵＥに送信電力を減らすよう通知するようにさらに構成される、
請求項２２に記載の電力制御装置。
【請求項２４】
アップリンク・パケット・スケジューリングを停止するように構成された第１の停止ユニットをさらに備える、請求項２１乃至２３の何れか１項に記載の電力制御装置。
【請求項２５】
前記第１の制御ユニットは、前記エア・インタフェースの前記ＲＴＷＰが前記第１の輻輳閾値より小さいときに、前記ＲＮＣにより送信された前記ターゲットＳＩＲを上方制御するようにさらに構成され、前記エア・インタフェースの前記ＲＴＷＰが前記第１の輻輳閾値に等しいときに、上方制御した前記ターゲットＳＩＲは前記ＲＮＣにより送信されたターゲットＳＩＲより大きくない、請求項２１乃至２４の何れか１項に記載の電力制御装置。
【請求項２６】
エア・インタフェースの受信総広帯域電力ＲＴＷＰが設定された第１の輻輳閾値を超過したかどうかを判定するように構成された第２の判定ユニットと、
前記エア・インタフェースの前記ＲＴＷＰが設定された前記第１の輻輳閾値を超過したと前記第２の判定ユニットが判定したときには、輻輳指示を無線ネットワーク・コントローラＲＮＣに送信するように構成された第２の送信ユニットであって、前記輻輳指示は、前記ＲＮＣがターゲット信号対雑音比ＳＩＲを上方制御することを禁じられていることを示すために使用された第２の送信ユニットと、
前記ＲＮＣにより送信されたターゲットＳＩＲを受信するように構成された第２の受信ユニットと、
前記ＲＮＣにより送信され前記第２の受信ユニットにより受信された前記ターゲットＳＩＲに基づいて、送信電力を制限するようにユーザ装置ＵＥに通知するように構成された第２の通知ユニットと、
を備える、電力制御装置。
【請求項２７】
前記第２の受信ユニットが前記ＲＮＣにより送信された前記ターゲットＳＩＲを受信した後に、前記ＲＮＣにより送信された前記ターゲットＳＩＲを下方制御するように構成された第２の制御ユニットをさらに備え、
前記第２の通知ユニットは、前記第２の制御ユニットにより下方制御された前記ターゲットＳＩＲに基づいて、前記送信電力を減らすように前記ユーザ装置ＵＥに通知するようにさらに構成される、
請求項２６に記載の電力制御装置。
【請求項２８】
パケット交換ドメイン・サービスを実行しているＵＥを下方制御が優先的に実施されているＵＥとして設定するように構成された第３の設定ユニットをさらに備え、
前記第３の設定ユニットは、データ送信を行っていないＵＥを下方制御が優先的に実施されているＵＥとして設定するようにさらに構成される、
請求項２６または２７に記載の電力制御装置。
【請求項２９】
前記第１の輻輳閾値より小さい第２の輻輳閾値を設定するように構成された第４の設定ユニットをさらに備え、
前記第２の判定ユニットは、前記エア・インタフェースの前記ＲＴＷＰが前記第４の設定ユニットが設定した前記第２の輻輳閾値を超過したかどうかを判定するようにさらに構成され、
前記エア・インタフェースの前記ＲＴＷＰが前記第２の輻輳閾値を超過したときには、
前記第２の受信ユニットは、前記ＲＮＣにより送信された、下方制御が優先的に実施されているＵＥのターゲットＳＩＲを受信するようにさらに構成され、
前記第２の制御ユニットは、前記ＲＮＣにより送信され前記第２の受信ユニットにより受信された、下方制御が優先的に実施されている前記ＵＥの前記ターゲットＳＩＲを下方制御するようにさらに構成され、
前記第２の通知ユニットは、前記第２の制御ユニットにより下方制御された前記ターゲットＳＩＲに基づいて、下方制御が優先的に実施されている前記ＵＥに送信電力を減らすよう通知するようにさらに構成される、
請求項２８に記載の電力制御装置。
【請求項３０】
アップリンク・パケット・スケジューリングを停止するように構成された第２の停止ユニットをさらに備える、請求項２６乃至２９の何れか１項に記載の電力制御装置。
【請求項３１】
前記第２の制御ユニットは、前記エア・インタフェースの前記ＲＴＷＰが前記第１の輻輳閾値より小さいときに前記ＲＮＣにより送信された前記ターゲットＳＩＲを上方制御するようにさらに構成され、前記エア・インタフェースの前記ＲＴＷＰが前記第１の輻輳閾値に等しいときに、上方制御した前記ターゲットＳＩＲは前記ＲＮＣにより送信されたターゲットＳＩＲより大きくない、請求項２６乃至３０の何れか１項に記載の電力制御装置。
【請求項３２】
無線ネットワーク・コントローラＲＮＣにより送信されたターゲット信号対雑音比ＳＩＲを受信するように構成された第３の受信ユニットと、
エア・インタフェースの受信総広帯域電力ＲＴＷＰが設定された第１の輻輳閾値を超過したかどうかを判定するように構成された第３の判定ユニットと、
前記エア・インタフェースの前記ＲＴＷＰが設定された前記第１の輻輳閾値を超過したと前記第３の判定ユニットが判定したときには、前記ＲＮＣにより送信された前記ターゲットＳＩＲを下方制御するように構成された第３の制御ユニットと、
前記第３の制御ユニットにより下方制御された前記ターゲットＳＩＲに基づいて、送信電力を減らすようにユーザ装置ＵＥに通知するように構成された第３の通知ユニットと、
を備える、電力制御装置。
【請求項３３】
前記第３の受信ユニットが前記ＲＮＣにより送信された前記ターゲットＳＩＲを受信する前に、輻輳指示を前記ＲＮＣに送信するように構成された第３の送信ユニットであって、前記輻輳指示は前記ＲＮＣが前記ターゲット信号対雑音比ＳＩＲの上方制御を禁じられていることを示すのに使用される第３の送信ユニットをさらに備え、
前記第３の受信ユニットは、前記ＲＮＣにより送信された上方制御されていない前記ターゲットＳＩＲを受信するようにさらに構成され、
前記第３の制御ユニットは、前記ＲＮＣにより送信され前記第３の受信ユニットにより受信される上方制御されていない前記ターゲットＳＩＲを下方制御するようにさらに構成される、
請求項３２に記載の電力制御装置。
【請求項３４】
パケット交換ドメイン・サービスを実行しているＵＥを下方制御が優先的に実施されているＵＥとして設定するように構成された第５の設定ユニットであって、前記第５の設定ユニットは、データ送信を行っていないＵＥを下方制御が優先的に実施されているＵＥとして設定するようにさらに構成される第５の設定ユニットをさらに備える、請求項３２または３３に記載の電力制御装置。
【請求項３５】
前記第１の輻輳閾値より小さい第２の輻輳閾値を設定するように構成された第６の設定ユニットをさらに備え、
前記第３の判定ユニットは、前記エア・インタフェースの前記ＲＴＷＰが前記第６の設定ユニットにより設定された前記第２の輻輳閾値を超過したかどうかを判定するようにさらに構成され、
前記第３の受信ユニットは、前記ＲＮＣにより送信された、下方制御が優先的に実施されているＵＥのターゲットＳＩＲを受信するようにさらに構成され、
前記第３の制御ユニットは、前記ＲＮＣにより送信され前記第３の受信ユニットにより受信される、下方制御が優先的に実施されている前記ＵＥの前記ターゲットＳＩＲを下方制御するようにさらに構成され、
前記第３の通知ユニットは、前記第３の制御ユニットにより下方制御された前記ターゲットＳＩＲに基づいて、下方制御が優先的に実施されている前記ＵＥに送信電力を減らすよう通知するようにさらに構成される、
をさらに備える、請求項３４に記載の電力制御装置。
【請求項３６】
アップリンク・パケット・スケジューリングを停止するように構成された第３の停止ユニットをさらに備える、請求項３３に記載の電力制御装置。
【請求項３７】
前記第３の制御ユニットは、前記エア・インタフェースの前記ＲＴＷＰが前記第１の輻輳閾値より小さいときに前記ＲＮＣにより送信された前記ターゲットＳＩＲを上方制御するようにさらに構成され、前記エア・インタフェースの前記ＲＴＷＰが前記第１の輻輳閾値に等しいときに、上方制御した前記ターゲットＳＩＲは前記ＲＮＣにより送信されたターゲットＳＩＲより大きくない、請求項３２乃至３６の何れか１項に記載の電力制御装置。
【請求項３８】
基地局のエア・インタフェースの受信総広帯域電力ＲＴＷＰが設定された第１の輻輳閾値を超過したと前記基地局が判定したときには、前記基地局により送信された輻輳指示を受信するように構成された第４の受信ユニットと、
前記第４の受信ユニットにより受信された前記輻輳指示に従って、ターゲット信号対雑音比ＳＩＲの上方制御を禁止するように構成された処理ユニットと、
上方制御されていない前記ターゲットＳＩＲを前記基地局に送信するように構成された第４の送信ユニットと、
を備える、電力制御装置。
【請求項３９】
前記処理ユニットは、前記第４の受信ユニットが前記基地局により送信された次の輻輳指示を事前設定禁止解禁期間に受信しないときには、前記ターゲットＳＩＲの上方制御の禁止を解禁するようにさらに構成された、請求項３８に記載の電力制御装置。
【発明の詳細な説明】
【技術分野】
【０００１】
本願は、発明の名称を「電力制御の方法および装置」とした、２０１１年１２月７日に中国特許庁に出願された中国特許出願第２０１１１０４０３２０８．４に対する優先権を主張し、その全体を引用により本明細書に組み込む。
【０００２】
本発明は無線通信の分野に関し、特に、電力制御の方法および装置に関する。
【背景技術】
【０００３】
ネットワークの運用においては、ホット・スポット・セル内のユーザ装置（Ｕｓｅｒ  Ｅｑｕｉｐｍｅｎｔ、ＵＥ）の数は多大であり、このため、基地局のエア・インタフェースの電力リソースに対するセル内のＵＥ間の相互競合が容易に生ずる。ＵＥは送信電力を増大させることで基地局のエア・インタフェースのリソースに対して競合し、ＵＥが相互に送信電力を押し上げるこの現象により、基地局のエア・インタフェースの受信総広帯域電力（Ｒｅｃｅｉｖｅｄ  Ｔｏｔａｌ  Ｗｉｄｅｂおよび  Ｐｏｗｅｒ、ＲＴＷＰ）が増大する。当該基地局のエア・インタフェースのＲＴＷＰが特定の限界値を超えると、セルの性能は低下し、システムは不安定な状態になり、外部の瞬間的で突発的な干渉または特定の内部ＵＥの電力上昇がセル内のＵＥと干渉するおそれがある。極端なケースでは、エア・インタフェースの雪崩効果が生じ、その結果、端末ユーザのエクスペリエンスに影響が及ぶおそれさえありうる。音声ユーザのような、サービス品質（Ｑｕａｌｉｔｙ  ｏｆ  Ｓｅｒｖｉｃｅ、ＱｏＳ）に敏感なユーザにとっては、瞬間的な無音や呼の切断さえも起こりうる。
【発明の概要】
【発明が解決しようとする課題】
【０００４】
例えば、電力輻輳が基地局のエア・インタフェースで生ずる場合には、ＵＥは非常に強い干渉を受け、この場合、大多数のＵＥの送信電力は既に高レベルに維持されている。その結果、外部の瞬間的な干渉、内部ＵＥのアクセスまたは突発的なデータ送信のような活動により、ネットワーク内のＵＥのブロック・エラー率（Ｂｌｏｃｋ  Ｅｒｒｏｒ  Ｒａｔｅ、ＢＬＥＲ）またはハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）送信率が瞬間的かつ突然悪化するおそれがある。それにより、外部ループ電力制御の上昇が生じ、ＵＥが送信電力を上昇させる結果となる。電力輻輳が基地局のエア・インタフェースに既に存在する場合には、当該基地局のエア・インタフェースのＲＴＷＰがさらに上昇し、基地局のエア・インタフェースの環境が悪化する。
【課題を解決するための手段】
【０００５】
本発明の諸実施形態では電力制御の方法および装置を提供する。当該方法および装置は、電力輻輳が基地局のエア・インタフェースで生ずるときに基地局のエア・インタフェースのＲＴＷＰを制御することができる。以上の目的を実現するために、本発明の諸実施形態では以下の技術的解決策を使用する。
【０００６】
電力制御方法が、エア・インタフェースの受信総広帯域電力ＲＴＷＰが第１の設定輻輳閾値を超過したかどうかを判定するステップと、当該エア・インタフェースのＲＴＷＰが当該第１の設定輻輳閾値を超過したときには、輻輳指示を無線ネットワーク・コントローラＲＮＣに送信するステップであって、当該輻輳指示は、当該ＲＮＣがターゲット信号対雑音比ＳＩＲを上方制御することを禁じられていることを示すために使用されるステップと、当該ＲＮＣにより送信されたターゲットＳＩＲを受信するステップと、当該ＲＮＣにより送信されたターゲットＳＩＲを下方制御するステップと、下方制御したターゲットＳＩＲに基づいて、送信電力を減らすようにユーザ装置ＵＥに通知するステップとを含む。
【０００７】
電力制御方法が、エア・インタフェースの受信総広帯域電力ＲＴＷＰが第１の設定輻輳閾値を超過したかどうかを判定するステップと、当該エア・インタフェースのＲＴＷＰが当該第１の設定輻輳閾値を超過したときには、輻輳指示を無線ネットワーク・コントローラＲＮＣに送信するステップであって、当該輻輳指示は、当該ＲＮＣがターゲット信号対雑音比ＳＩＲを上方制御することを禁じられていることを示すために使用されるステップと、当該ＲＮＣにより送信されたターゲットＳＩＲを受信するステップと、当該ＲＮＣにより送信されたターゲットＳＩＲに基づいて、送信電力を制限するようにユーザ装置ＵＥに通知するステップとを含む。
【０００８】
電力制御方法が、無線ネットワーク・コントローラＲＮＣにより送信されたターゲット信号対雑音比ＳＩＲを受信するステップと、エア・インタフェースの受信総広帯域電力ＲＴＷＰが第１の設定輻輳閾値を超過したかどうかを判定するステップと、当該エア・インタフェースのＲＴＷＰが当該第１の設定輻輳閾値を超過したときには、当該ＲＮＣにより送信されたターゲットＳＩＲを下方制御するステップと、下方制御したターゲットＳＩＲに基づいて、送信電力を減らすようにユーザ装置ＵＥに通知するステップとを含む。
【０００９】
電力制御方法が、基地局のエア・インタフェースの受信総広帯域電力ＲＴＷＰが第１の設定輻輳閾値を超過したと当該基地局が判定したときには、当該基地局により送信された輻輳指示を受信するステップと、当該輻輳指示に従って、ターゲット信号対雑音比ＳＩＲの上方制御を禁止するステップと、上方制御されていないターゲットＳＩＲを当該基地局に送信するステップとを含む。
【００１０】
電力制御装置が、エア・インタフェースの受信総広帯域電力ＲＴＷＰが第１の設定輻輳閾値を超過したかどうかを判定するように構成された第１の判定ユニットと、当該エア・インタフェースのＲＴＷＰが当該第１の設定輻輳閾値を超過したと当該第１の判定ユニットが判定したときには、輻輳指示を無線ネットワーク・コントローラＲＮＣに送信するように構成された第１の送信ユニットであって、当該輻輳指示は、当該ＲＮＣがターゲット信号対雑音比ＳＩＲを上方制御することを禁じられていることを示すために使用される第１の送信ユニットと、当該ＲＮＣにより送信されたターゲットＳＩＲを受信するように構成された第１の受信ユニットと、当該ＲＮＣにより送信され当該第１の受信ユニットにより受信されたターゲットＳＩＲを下方制御するように構成された第１の制御ユニットと、当該第１の制御ユニットにより下方制御された当該ターゲットＳＩＲに基づいて、送信電力を減らすようにユーザ装置ＵＥに通知するように構成された第１の通知ユニットとを備える。
【００１１】
電力制御装置が、エア・インタフェースの受信総広帯域電力ＲＴＷＰが第１の設定輻輳閾値を超過したかどうかを判定するように構成された第２の判定ユニットと、当該エア・インタフェースのＲＴＷＰが当該第１の設定輻輳閾値を超過したと当該第２の判定ユニットが判定したときには、輻輳指示を無線ネットワーク・コントローラＲＮＣに送信するように構成された第２の送信ユニットであって、当該輻輳指示は、当該ＲＮＣがターゲット信号対雑音比ＳＩＲを上方制御することを禁じられていることを示すために使用される第２の送信ユニットと、当該ＲＮＣにより送信されたターゲットＳＩＲを受信するように構成された第２の受信ユニットと、当該ＲＮＣにより送信され当該第２の受信ユニットにより受信されたターゲットＳＩＲに基づいて、送信電力を制限するようにユーザ装置ＵＥに通知するように構成された第２の通知ユニットとを備える。
【００１２】
電力制御装置が、無線ネットワーク・コントローラＲＮＣにより送信されたターゲット信号対雑音比ＳＩＲを受信するように構成された第３の受信ユニットと、エア・インタフェースの受信総広帯域電力ＲＴＷＰが第１の設定輻輳閾値を超過したかどうかを判定するように構成された第３の判定ユニットと、当該エア・インタフェースのＲＴＷＰが当該第１の設定輻輳閾値を超過したと当該第３の判定ユニットが判定したときには、当該ＲＮＣにより送信されたターゲットＳＩＲを下方制御するように構成された第３の制御ユニットと、当該第３の制御ユニットにより下方制御されたターゲットＳＩＲに基づいて、送信電力を減らすようにユーザ装置ＵＥに通知するように構成された第３の通知ユニットとを備える。
【００１３】
電力制御装置が、基地局のエア・インタフェースの受信総広帯域電力ＲＴＷＰが第１の設定輻輳閾値を超過したと当該基地局が判定したときには、当該基地局により送信された輻輳指示を受信するように構成された第４の受信ユニットと、当該第４の受信ユニットにより受信された当該輻輳指示に従って、ターゲット信号対雑音比ＳＩＲの上方制御を禁止するように構成された処理ユニットと、上方制御されていないターゲットＳＩＲを当該基地局に送信するように構成された第４の送信ユニットとを備える。
【００１４】
本発明の諸実施形態で提供する電力制御の方法および装置では、ＵＥのターゲットＳＩＲの上昇を基地局のエア・インタフェースの電力輻輳の場合において制限することができ、既に過度に高い基地局のエア・インタフェースのＲＴＷＰ上のＵＥの送信電力がさらに上昇することで形成される輻輳圧力が回避される。一方、本発明の１実装シナリオでは、既に上昇が制限されているターゲットＳＩＲの値を下方制御して、ＵＥの送信電力を減らすことができる。基地局のエア・インタフェースの電力輻輳の問題が解決され、システムの状態が安定化し、端末ユーザとＱｏＳに敏感なユーザのサービス品質が保証される。
【００１５】
本発明の諸実施形態または先行技術の技術的解決策をより明確に説明するために、以下では、当該諸実施形態または先行技術を説明するのに必要な添付図面を簡単に説明する。明らかに、以下の説明における添付図面は本発明の諸実施形態の一部を示すにすぎず、当業者は創造的作業なしに当該添付図面に従って他の図面をさらに取得することができる。
【図面の簡単な説明】
【００１６】
【図１】本発明の実施形態１に従う電力制御方法の流れ図である。
【図２】本発明の実施形態２に従う電力制御方法の流れ図である。
【図３】本発明の実施形態３に従う電力制御方法の流れ図である。
【図４】本発明の実施形態４に従う電力制御方法の流れ図である。
【図５】本発明の実施形態５に従う電力制御方法の流れ図である。
【図６】本発明の実施形態５に従う電力制御の例示的な解決策の流れ図である。
【図７】本発明の実施形態５に従う、本発明の実施形態５を採用する前後のデータ・テーブルの比較を示す図である。
【図８】本発明の実施形態６に従う電力制御方法の流れ図である。
【図９】本発明の実施形態７に従う電力制御方法の流れ図である。
【図１０】本発明の実施形態８に従う電力制御装置の略構造図である。
【図１１】本発明の実施形態８に従う電力制御装置の略構造図である。
【図１２】本発明の実施形態８に従う電力制御装置の略構造図である。
【図１３】本発明の実施形態８に従う電力制御装置の略構造図である。
【図１４】本発明の実施形態９に従う電力制御装置の略構造図である。
【図１５】本発明の実施形態９に従う電力制御装置の略構造図である。
【図１６】本発明の実施形態９に従う電力制御装置の略構造図である。
【図１７】本発明の実施形態９に従う電力制御装置の略構造図である。
【図１８】本発明の実施形態９に従う電力制御装置の略構造図である。
【図１９】本発明の実施形態１０に従う電力制御装置の略構造図である。
【図２０】本発明の実施形態１０に従う電力制御装置の略構造図である。
【図２１】本発明の実施形態１０に従う電力制御装置の略構造図である。
【図２２】本発明の実施形態１０に従う電力制御装置の略構造図である。
【図２３】本発明の実施形態１０に従う電力制御装置の略構造図である。
【図２４】本発明の実施形態１１に従う電力制御装置の略構造図である。
【発明を実施するための形態】
【００１７】
以下で、本発明の諸実施形態における添付図面を参照して本発明の諸実施形態の技術的解決策を明確かつ十分に説明する。明らかに、説明する諸実施形態は本発明の諸実施形態の全てではなく一部にすぎない。創造的作業なしに本発明の諸実施形態に基づいて当業者により取得される他の全ての実施形態は本発明の保護範囲に入るものとする。
【００１８】
実施形態１
本発明の当該実施形態では電力制御方法を提供する。図１に示すように、当該方法は以下のステップを含む。
【００１９】
１０１では、基地局のエア・インタフェースのＲＴＷＰが第１の設定輻輳閾値を超過したかどうかを当該基地局が判定する。
【００２０】
当該エア・インタフェースのＲＴＷＰは当該基地局に関連する全てのＵＥの送信電力の和である。当該エア・インタフェースのＲＴＷＰが当該第１の輻輳閾値を超過するときには、輻輳現象が当該基地局で発生しており、当該基地局のエア・インタフェースのＲＴＷＰを制御する必要がある。
【００２１】
１０２では、当該基地局のエア・インタフェースのＲＴＷＰが当該第１の設定輻輳閾値を超過したときには、当該基地局が輻輳指示をＲＮＣに送信する。
【００２２】
当該輻輳指示は当該ＲＮＣがターゲットＳＩＲの上方制御を禁じられていることを示すのに使用される。ＲＮＣが、ＵＥがデータをアップロードしたときのブロック・エラー率、ＨＡＲＱ送信率またはエア・インタフェース・パケット損失率に従ってＵＥのターゲットＳＩＲを調節してもよい。ブロック・エラー率を例としてとる。即ち、ＵＥがデータをアップロードしたときにブロック・エラー率が過度に高い場合には、ＲＮＣがＵＥのターゲットＳＩＲを上方制御して、ＵＥの送信電力を増大させ、それによりブロック・エラー率を減らす。ＵＥがデータをアップロードしたときにブロック・エラー率が小さい場合には、アップリンク・データの送信電力を節約するために、ＲＮＣはＵＥのターゲットＳＩＲを下方制御して、ＵＥの送信電力を減らす。輻輳が基地局のエア・インタフェースで発生しているときには、ネットワークの全体的な安定性を保証するために、ＵＥがデータをアップロードしたときにブロック・エラー率が高い場合であっても、ＲＮＣはＵＥのターゲットＳＩＲを上方制御することはできず、それにより、基地局のエア・インタフェースのＲＴＷＰがさらに上昇しないことを保証する。
【００２３】
１０３では、当該基地局が当該ＲＮＣにより送信されたターゲットＳＩＲを受信する。
【００２４】
当該基地局のエア・インタフェースのＲＴＷＰが当該第１の輻輳閾値を超過したときには、当該基地局が輻輳指示をＲＮＣに送信して、ＲＮＣがターゲットＳＩＲを上方制御するのを禁じられていることを示す。ターゲットＳＩＲを上方制御する必要がある場合には、当該基地局により送信された輻輳指示に従ってＲＮＣはターゲットＳＩＲを上方制御せず、上方制御されていないターゲットＳＩＲを当該基地局に送信する。当該基地局は、ＲＮＣにより送信され上昇が制限されているターゲットＳＩＲを受信する。
【００２５】
１０４では、基地局がＲＮＣにより送信されたターゲットＳＩＲを下方制御する。
【００２６】
当該基地局が、ＲＮＣにより上昇が制限されているターゲットＳＩＲを下方制御する。ＲＮＣがターゲットＳＩＲの上昇を制限することにより、当該基地局のエア・インタフェースのＲＴＷＰがさらに上昇しないことを保証できるが、輻輳現象が基地局で既に発生しているので、単に当該基地局のエア・インタフェースのＲＴＷＰを制限するだけでは当該基地局の輻輳現象を排除することができない。したがって、当該基地局はＲＮＣにより上昇が制限されているターゲットＳＩＲを下方制御して、ＵＥのターゲットＳＩＲをさらに減らし、ＵＥの送信電力を減らすことにより、当該基地局のエア・インタフェースのＲＴＷＰを第１の輻輳閾値より小さい値に減らす必要がある。
【００２７】
１０５では、当該基地局が、下方制御したターゲットＳＩＲに基づいて、送信電力を減らすようにＵＥに通知する。
【００２８】
ＳＩＲはＵＥがアップリンク・データを送信したときの送信電力対干渉信号比として定義される。特定のＵＥに対して、干渉信号の規模は大きくは変化せず、近似的に不変であるとみなしてもよい。基地局の下方制御を通じてターゲットＳＩＲを減らすときに、ＵＥの送信電力が減らされた場合にのみ、データをアップロードするためのＵＥの実際のＳＩＲをターゲットＳＩＲまで減らすことができ、ＵＥの送信電力を減らし基地局のエア・インタフェースのＲＴＷＰを減らすという目的が達成される。
【００２９】
本発明の当該実施形態で提供する電力制御方法では、ＵＥのターゲットＳＩＲの上昇を基地局のエア・インタフェースの電力輻輳の場合において制限することができ、既に過度に高い基地局のエア・インタフェースのＲＴＷＰ上のＵＥの送信電力がさらに上昇することで形成される輻輳圧力が回避される。一方、本発明の当該実施形態の適用シナリオにおいて、既に上昇が制限されているターゲットＳＩＲの値を下方制御して、ＵＥの送信電力を減らすことができる。基地局のエア・インタフェースの電力輻輳の問題が解決され、システムの状態が安定化し、端末ユーザとＱｏＳに敏感なユーザのサービス品質が保証される。
【００３０】
実施形態２
本発明の当該実施形態では電力制御方法を提供する。図２に示すように、当該方法は以下のステップを含む。
【００３１】
２０１では、基地局のエア・インタフェースのＲＴＷＰが第１の設定輻輳閾値を超過したかどうかを当該基地局が判定する。
【００３２】
当該エア・インタフェースのＲＴＷＰは基地局に関連する全てのＵＥの送信電力の和である。当該エア・インタフェースのＲＴＷＰが当該第１の輻輳閾値を超過するときには、輻輳現象が基地局で発生しており、基地局のエア・インタフェースのＲＴＷＰを制御する必要がある。
【００３３】
２０２では、当該基地局のエア・インタフェースのＲＴＷＰが当該第１の設定輻輳閾値を超過したときには、当該基地局が輻輳指示をＲＮＣに送信する。
【００３４】
当該輻輳指示は当該ＲＮＣがターゲットＳＩＲの上方制御を禁じられていることを示すのに使用される。ＲＮＣが、ＵＥがデータをアップロードしたときのブロック・エラー率、ＨＡＲＱ送信率またはエア・インタフェース・パケット損失率に従ってＵＥのターゲットＳＩＲを調節してもよい。ブロック・エラー率を例としてとる。即ち、ＵＥがデータをアップロードしたときにブロック・エラー率が過度に高い場合には、ＲＮＣがＵＥのターゲットＳＩＲを上方制御して、ＵＥの送信電力を増大させ、それによりブロック・エラー率を減らす。ＵＥがデータをアップロードしたときにブロック・エラー率が小さい場合には、アップリンク・データの送信電力を節約するために、ＲＮＣはＵＥのターゲットＳＩＲを下方制御して、ＵＥの送信電力を減らす。輻輳が基地局のエア・インタフェースで発生しているときには、ネットワークの全体的な安定性を保証するために、ＵＥがデータをアップロードしたときにブロック・エラー率が高い場合であっても、ＲＮＣはＵＥのターゲットＳＩＲを上方制御することはできず、それにより、基地局のエア・インタフェースのＲＴＷＰがさらに上昇しないことを保証する。
【００３５】
２０３では、当該基地局が当該ＲＮＣにより送信されたターゲットＳＩＲを受信する。
【００３６】
当該基地局のエア・インタフェースのＲＴＷＰが当該第１の輻輳閾値を超過したときには、当該基地局が輻輳指示をＲＮＣに送信して、ＲＮＣがターゲットＳＩＲを上方制御するのを禁じられていることを示す。ターゲットＳＩＲを上方制御する必要がある場合には、当該基地局により送信された輻輳指示に従ってＲＮＣはターゲットＳＩＲを上方制御せず、上方制御されていないターゲットＳＩＲを当該基地局に送信する。当該基地局は、ＲＮＣにより送信され上昇が制限されているターゲットＳＩＲを受信する。
【００３７】
２０４では、当該基地局が、当該ＲＮＣにより送信されたターゲットＳＩＲに基づいて、送信電力を制限するようにＵＥに通知する。
【００３８】
ＳＩＲはＵＥがアップリンク・データを送信したときの送信電力対干渉信号比として定義される。特定のＵＥに対して、干渉信号の規模は大きくは変化せず、近似的に不変であるとみなしてもよい。ＲＮＣにより制限されているときにターゲットＳＩＲが上昇しないと、ＵＥの送信電力も上昇せず、ＵＥの送信電力を制限するという目的が達成される。
【００３９】
本発明の当該実施形態で提供する電力制御方法では、ＵＥのターゲットＳＩＲの上昇を基地局のエア・インタフェースの電力輻輳の場合において制限することができ、既に過度に高い基地局のエア・インタフェースのＲＴＷＰ上のＵＥの送信電力がさらに上昇することで形成される輻輳圧力が回避される。
【００４０】
実施形態３
本発明の当該実施形態では電力制御方法を提供する。図１に示すように、当該方法は以下のステップを含む。
【００４１】
３０１では、ＲＮＣにより送信されたターゲットＳＩＲを受信する。３０２では、基地局のエア・インタフェースのＲＴＷＰが第１の設定輻輳閾値を超過したかどうかを当該基地局が判定する。
【００４２】
当該エア・インタフェースのＲＴＷＰは基地局に関連する全てのＵＥの送信電力の和である。当該エア・インタフェースのＲＴＷＰが当該第１の輻輳閾値を超過するときには、輻輳現象が当該基地局で発生しており、当該基地局のエア・インタフェースのＲＴＷＰを制御する必要がある。
【００４３】
３０３では、当該基地局のエア・インタフェースのＲＴＷＰが当該第１の設定輻輳閾値を超過したときには、当該基地局が当該ＲＮＣにより送信されたターゲットＳＩＲを下方制御する。
【００４４】
当該基地局が当該ＲＮＣにより送信されたターゲットＳＩＲを下方制御する、それによりＵＥの送信電力を減らし、当該基地局のエア・インタフェースのＲＴＷＰを当該第１の輻輳閾値より小さい値に減らす。
【００４５】
３０４では、当該基地局が、下方制御したターゲットＳＩＲに基づいて、送信電力を減らすようにＵＥに通知する。
【００４６】
ＳＩＲはＵＥがアップリンク・データを送信したときの送信電力対干渉信号比として定義される。特定のＵＥに対して、干渉信号の規模は大きくは変化せず、近似的に不変であるとみなしてもよい。基地局の下方制御を通じてターゲットＳＩＲを減らすときに、ＵＥの送信電力が減らされた場合にのみ、データをアップロードするためのＵＥの実際のＳＩＲをターゲットＳＩＲまで減らすことができ、ＵＥの送信電力を減らし基地局のエア・インタフェースのＲＴＷＰを減らすという目的が達成される。
【００４７】
本発明の当該実施形態で提供する電力制御方法では、当該ＲＮＣにより送信されたターゲットＳＩＲの値を下方制御して、ＵＥの送信電力を減らすことができる。基地局のエア・インタフェースの電力輻輳の問題が解決され、システムの状態が安定化し、端末ユーザとＱｏＳに敏感なユーザのサービス品質が保証される。
【００４８】
実施形態４
本発明の当該実施形態では電力制御方法を提供する。図４に示すように、当該方法は以下のステップを含む。
【００４９】
４０１では、基地局のエア・インタフェースのＲＴＷＰが第１の設定輻輳閾値を超過したと当該基地局が判定したとき、ＲＮＣが当該基地局により送信された輻輳指示を受信する。
【００５０】
当該輻輳指示は当該ＲＮＣがターゲットＳＩＲの上方制御を禁じられていることを示すのに使用される。ＲＮＣが、ＵＥがデータをアップロードしたときのブロック・エラー率、ＨＡＲＱ送信率またはエア・インタフェース・パケット損失率に従ってＵＥのターゲットＳＩＲを調節してもよい。ブロック・エラー率を例としてとる。即ち、ＵＥがデータをアップロードしたときにブロック・エラー率が高い場合には、ＲＮＣがＵＥのターゲットＳＩＲを上方制御して、ＵＥの送信電力を増大させ、それによりブロック・エラー率を減らす。ＵＥがデータをアップロードしたときにブロック・エラー率が小さい場合には、アップリンク・データの送信電力を節約するために、ＲＮＣはＵＥのターゲットＳＩＲを下方制御して、ＵＥの送信電力を減らす。輻輳が基地局のエア・インタフェースで発生しているときには、ネットワークの全体的な安定性を保証するために、ＵＥがデータをアップロードしたときにブロック・エラー率が高い場合であっても、ＲＮＣはＵＥのターゲットＳＩＲを上方制御することはできず、それにより、基地局のエア・インタフェースのＲＴＷＰがさらに上昇しないことを保証する。
【００５１】
４０２では、当該輻輳指示に従って、ＲＮＣはターゲットＳＩＲを上方制御することを禁じられる。基地局が輻輳指示をＲＮＣに送信した後に、ＲＮＣはＵＥのターゲットＳＩＲを上方制御することを禁じられるが、ＵＥがデータをアップロードしたときにブロック・エラー率が小さい場合には、ＲＮＣはＵＥのターゲットＳＩＲを下方制御してもよい。ＵＥのターゲットＳＩＲの下方制御は当該基地局のエア・インタフェースのＲＴＷＰをさらには増大させず、実際には当該基地局のエア・インタフェースのＲＴＷＰをさらに減らし、したがって、ＲＮＣによるＵＥのターゲットＳＩＲの下方制御機能は限定されない。
【００５２】
４０３では、ＲＮＣがターゲットＳＩＲを基地局に送信する。当該基地局のエア・インタフェースのＲＴＷＰが当該第１の輻輳閾値を超過したときには、当該基地局が輻輳指示をＲＮＣに送信して、ＲＮＣがターゲットＳＩＲを上方制御するのを禁じられていることを示す。ターゲットＳＩＲを上方制御する必要がある場合には、当該基地局により送信された輻輳指示に従ってＲＮＣはターゲットＳＩＲを上方制御せず、上方制御されていないターゲットＳＩＲを当該基地局に送信する。
【００５３】
本発明の当該実施形態の適用シナリオにおいて、ＲＮＣがターゲットＳＩＲを基地局に送信した後に、当該基地局がさらに当該ＲＮＣにより送信されたターゲットＳＩＲを下方制御して、ターゲットＳＩＲを減らしてもよい。それによりＵＥの送信電力を減らし、基地局のエア・インタフェースの電力圧力を減らす。
【００５４】
本発明の当該実施形態で提供する電力制御方法では、ＵＥのターゲットＳＩＲの上昇を基地局のエア・インタフェースの電力輻輳の場合において制限することができ、既に過度に高い基地局のエア・インタフェースのＲＴＷＰ上のＵＥの送信電力がさらに上昇することで形成される輻輳圧力が回避される。一方、本発明の当該実施形態の適用シナリオにおいて、既に上昇が制限されているターゲットＳＩＲの値を下方制御して、ＵＥの送信電力を減らすことができる。基地局のエア・インタフェースの電力輻輳の問題が解決され、システムの状態が安定化し、端末ユーザとＱｏＳに敏感なユーザのサービス品質が保証される。
【００５５】
実施形態５
本発明の当該実施形態では電力制御方法を提供する。図５に示すように、当該方法は以下のステップを含む。
【００５６】
５０１では、基地局が第１の輻輳閾値を設定する。当該第１の輻輳閾値を実際の動作環境における現在のネットワーク状態に従って運用者により設定してもよく、現在のネットワーク状態が異なるセルに対しては異なる第１の輻輳閾値を設定してもよい。一方、異なる時点における同一セルの異なる現在のネットワーク状態に従うセルに対して異なる第１の輻輳閾値を設定してもよく、本発明の当該実施形態で限定されるものではない。
【００５７】
５０２では、当該基地局のエア・インタフェースのＲＴＷＰが当該第１の輻輳閾値を超過したかどうかを当該基地局が判定する。
【００５８】
当該エア・インタフェースのＲＴＷＰは基地局に関連する全てのＵＥの送信電力の和である。当該エア・インタフェースのＲＴＷＰが当該第１の輻輳閾値を超過するときには、輻輳現象が当該基地局で発生しており、セルの状態は不安定で、端末ユーザのカバレッジ品質が低下する。音声サービスのようなＱｏＳに敏感なサービスでは特に、過渡的な呼停滞（ｔｒａｎｓｉｅｎｔ  ｃａｌｌ  ｓｔａｇｎａｔｉｏｎ）のような現象または音声遅延が容易に生じ、深刻な場合にはさらに呼切断現象が生じ、ユーザのサービス・エクスペリエンスに影響が生ずる。したがって、当該基地局のエア・インタフェースのＲＴＷＰが当該第１の輻輳閾値を超過したときには、当該基地局のエア・インタフェースのＲＴＷＰを制限する必要がある。
【００５９】
５０３では、当該基地局のエア・インタフェースのＲＴＷＰが当該第１の輻輳閾値を超過したときには、当該基地局が輻輳指示をＲＮＣに送信する。
【００６０】
当該輻輳指示は当該ＲＮＣがターゲットＳＩＲの上方制御を禁じられていることを示すのに使用される。ＲＮＣが、ＵＥがデータをアップロードしたときのブロック・エラー率、ＨＡＲＱ送信率またはエア・インタフェース・パケット損失率に従ってＵＥのターゲットＳＩＲを調節してもよい。ブロック・エラー率を例としてとる。即ち、ＵＥがデータをアップロードしたときにブロック・エラー率が相対的に高い場合には、ＲＮＣがＵＥのターゲットＳＩＲを上方制御して、ＵＥの送信電力を増大させ、それによりブロック・エラー率を減らす。ＵＥがデータをアップロードしたときにブロック・エラー率が小さい場合には、アップリンク・データの送信電力を節約するために、ＲＮＣはＵＥのターゲットＳＩＲを下方制御して、ＵＥの送信電力を減らす。輻輳が基地局のエア・インタフェースで発生しているときには、ネットワークの全体的な安定性を保証するために、ＵＥがデータをアップロードしたときにブロック・エラー率が高い場合であっても、ＲＮＣはＵＥのターゲットＳＩＲを上方制御することはできず、それにより、基地局のエア・インタフェースのＲＴＷＰがさらに上昇しないことを保証する。
【００６１】
基地局が輻輳指示をＲＮＣに送信した後に、ＲＮＣはＵＥのターゲットＳＩＲを上方制御することを禁じられるが、ＵＥがデータをアップロードしたときにブロック・エラー率が小さい場合には、ＲＮＣはＵＥのターゲットＳＩＲを下方制御してもよいことに留意されたい。ＵＥのターゲットＳＩＲの下方制御は当該基地局のエア・インタフェースのＲＴＷＰをさらには増大させず、実際には当該基地局のエア・インタフェースのＲＴＷＰをさらに減らし、したがって、ＲＮＣによるＵＥのターゲットＳＩＲの下方制御機能は限定されない。
【００６２】
本発明の当該実施形態の適用シナリオにおいて、輻輳指示をＲＮＣに送信する前に、当該基地局はさらにアップリンク・パケット・スケジューリングを停止してもよい。回線交換ドメイン・サービスと比べて、パケット交換ドメイン・サービスのＱｏＳ感受性は低く、当該基地局のエア・インタフェースのＲＴＷＰが当該第１の輻輳閾値を超過したときには、パケット交換ドメインが断続的に大量のデータ・パケットをアップロードし続けるのを優先的に止めて、基地局のエア・インタフェースの電力圧力を軽減してもよい。例えば、ユーザの大量のデータ・パケットのアップロードを一時的に停止してもよく、ユーザ・プレーンの視点からは、サービス・データをアップロードするための送信時間が長い場合には、大量のデータ・パケットを短時間アップリンクで停止することにより追加された待機時間によりユーザの限界効用を縮小させる。当該縮小はユーザ・エクスペリエンスにさらなる影響は及ぼさない。
【００６３】
５０４では、当該基地局が当該ＲＮＣにより送信されたターゲットＳＩＲを受信する。当該基地局のエア・インタフェースのＲＴＷＰが当該第１の輻輳閾値を超過したときには、当該基地局が輻輳指示をＲＮＣに送信して、ＲＮＣがターゲットＳＩＲを上方制御するのを禁じられていることを示す。ターゲットＳＩＲを上方制御する必要がある場合には、当該基地局により送信された輻輳指示に従ってＲＮＣはターゲットＳＩＲを上方制御せず、上方制御されていないターゲットＳＩＲを当該基地局に送信する。当該基地局は、ＲＮＣにより送信され上昇が制限されているターゲットＳＩＲを受信する。
【００６４】
５０５では、当該基地局が当該ＲＮＣにより送信されたターゲットＳＩＲを下方制御する。当該基地局が、ＲＮＣにより上昇が制限されているターゲットＳＩＲを下方制御する。ＲＮＣがターゲットＳＩＲの上昇を制限することにより当該基地局のエア・インタフェースのＲＴＷＰがさらに上昇しないことを保証できるが、輻輳現象が基地局で既に発生しているので、単に当該基地局のエア・インタフェースのＲＴＷＰを制限するだけでは当該基地局の輻輳現象を排除することができない。したがって、当該基地局はＲＮＣにより上昇が制限されているターゲットＳＩＲを下方制御して、ＵＥのターゲットＳＩＲをさらに減らし、ＵＥの送信電力を減らすことにより、当該基地局のエア・インタフェースのＲＴＷＰを第１の輻輳閾値より小さい値に減らす必要がある。
【００６５】
本発明の当該実施形態の適用シナリオにおいて、基地局が定期的かつ均等にターゲットＳＩＲを下方制御してもよい。例えば、当該ターゲットＳＩＲを１０ｍｓごとに０．２ｄＢだけ下方制御してもよく、期間の長さと或る期間における下方制御の範囲の設定は本発明の当該実施形態では限定されない。
【００６６】
本発明の当該実施形態の別の適用シナリオでは、基地局が下方制御期間をさらに短縮してもよく、高速な短ステップ期間を介してＵＥのターゲットＳＩＲを下方制御して下方制御効果を高める。ＲＮＣが外部ループ電力制御の方式でＵＥのターゲットＳＩＲを調節する期間は長いので、ＲＮＣがＵＥのターゲットＳＩＲを調節する期間を短縮することによりトラフィックの影響がＲＮＣと基地局の間のインタフェースに容易に及ぶ。したがって、短ステップ期間の下方制御を、基地局自体を介してＵＥのターゲットＳＩＲに対して実施してもよい。
【００６７】
５０６では、当該基地局が、下方制御したターゲットＳＩＲに基づいて、送信電力を減らすようにＵＥに通知する。
【００６８】
ＳＩＲはＵＥがアップリンク・データを送信したときの送信電力対干渉信号比として定義される。特定のＵＥに対して、干渉信号の規模は大きくは変化せず、近似的に不変であるとみなしてもよい。基地局の下方制御を通じてターゲットＳＩＲを減らすときに、ＵＥの送信電力が減らされた場合にのみ、データをアップロードするためのＵＥの実際のＳＩＲをターゲットＳＩＲまで減らすことができ、ＵＥの送信電力を減らし基地局のエア・インタフェースのＲＴＷＰを減らすという目的が達成される。例えば、広帯域符号分割多重接続（Ｗｉｄｅｂおよび  Ｃｏｄｅ  Ｄｉｖｉｓｉｏｎ  Ｍｕｌｔｉｐｌｅ  Ａｃｃｅｓｓ、ＷＣＤＭＡ（登録商標））ネットワークでは、異なるキャリアが同一の周波数点を使用し、これが自己干渉現象を生じさせる。即ち、特定のＵＥに対して、別のＵＥの送信電力は当該ＵＥの干渉信号である。多数のＵＥがセル内に存在するので、或るＵＥに対して、別のＵＥにより生成された干渉信号はほぼ安定的である。したがって、当該ＵＥの実際のＳＩＲの値を、ＵＥの送信電力を減らすことによって減らすことができる。
【００６９】
本発明の当該実施形態の適用シナリオにおいて、基地局が、タイム・スロットのグレードの粒度でのターゲットＳＩＲに従って下方制御をＵＥの送信電力に対して実施してもよく、それにより、当該基地局のエア・インタフェースのＲＴＷＰを制御する細かさとリアルタイム性能がさらに高まる。
【００７０】
基地局により測定されたＵＥの実際のＳＩＲはターゲットＳＩＲと厳密に等しくはないが、ターゲットＳＩＲの周りで変動しターゲットＳＩＲに収束することに留意されたい。実際のＳＩＲはターゲットＳＩＲより大きいかまたはターゲットＳＩＲより小さいが、当該ターゲットＳＩＲは基地局がＵＥの送信電力を調節する基礎の役割を果たし、依然として実際のＳＩＲを誘導する上で重要である。ターゲットＳＩＲが低下したときには、実際のＳＩＲは対応する変動間隔でも低下し、それにより、ＵＥの送信電力を減らす目的が達成される。
【００７１】
本発明の当該実施形態の別の適用シナリオでは、さらにＲＮＣを異常から保護してもよい。基地局のエア・インタフェースが第１の輻輳閾値に到達した後に、ＲＮＣはターゲットＳＩＲを上方制御するのを禁じられている状態にある。或る期間内に、ＲＮＣが基地局により再送された輻輳指示を受信しない場合には、ターゲットＳＩＲを上方制御することを禁じられるという制限は自動的に削除され、ＲＮＣは、ＵＥがデータをアップロードしたときのブロック・エラー率、ＨＡＲＱ送信率またはエア・インタフェース・パケット損失率に従ってＵＥのターゲットＳＩＲを上方制御または下方制御することができる。当該期間は、実際の動作環境に従って運用者により設定された禁止解禁期間である。ＲＮＣがターゲットＳＩＲを上方制御するのを禁ずる機能により当該基地局のエア・インタフェースのＲＴＷＰのさらなる上昇を制限してもよいが、この制限にはデータ・パケットの送信成功率を減らすという代償が伴う。動作手続きでは、当該基地局のエア・インタフェースのＲＴＷＰが第１の輻輳閾値を超過しないことを保証するのと同時に、データ・パケット送信成功率をさらに考慮する必要があり、したがってＲＮＣを異常から保護する必要がある。
【００７２】
さらに、本発明の当該実施形態の別の適用シナリオでは、当該基地局のエア・インタフェースのＲＴＷＰが当該第１の輻輳閾値より小さい値に低下したとき、基地局が当該ＲＮＣにより送信されたターゲットＳＩＲを上方制御してもよい。ターゲットＳＩＲを上方制御する目的は、基地局のエア・インタフェースの電力圧力を軽減した後に、ターゲットＳＩＲを上方制御する方式でＵＥの送信電力を上方制御して、ＵＥがデータ・パケットを送信する成功率を改善することにある。基地局が短いステップでターゲットＳＩＲを安定的に上方制御し、基地局のＲＴＷＰが第１の輻輳閾値と等しいときのターゲットＳＩＲを上方制御すべきターゲットＳＩＲが超過しないことを制限としてとり、それによりＵＥがデータ・パケットを送信する成功率を可能な限り改善し当該基地局のエア・インタフェースのＲＴＷＰが再び第１の輻輳閾値を超過しない場合にユーザ・サービスの品質を保証する。データ・パケットを送信するためのＵＥの実際のＳＩＲはターゲットＳＩＲの周りで変動しターゲットＳＩＲに収束し、基地局のＲＴＷＰが第１の輻輳閾値と等しいときのターゲットＳＩＲを上方制御されたターゲットＳＩＲが超過しないが、増大した基地局のエア・インタフェースのＲＴＷＰが再び第１の輻輳閾値を超過するという場合が生ずることに留意されたい。この場合、ステップ５０３乃至ステップ５０６を繰り返し実行し、当該基地局のエア・インタフェースのＲＴＷＰを再び下方制御する。具体的な手続きについては、図５のステップ５０３乃至ステップ５０６の実装を参照することができるので、詳細はここでは繰り返し説明することはしない。
【００７３】
さらに、本発明の当該実施形態の別の適用シナリオでは、本発明の当該実施形態において、下方制御が優先的に実施されているＵＥをユーザ・サービス機能やユーザ送信状態に従ってさらに設定してもよく、第２の輻輳閾値をさらに設定してもよい。当該基地局のエア・インタフェースのＲＴＷＰが当該第２の輻輳閾値を超過したときには、下方制御が優先的に実施されているＵＥに対して電力の下方制御を先ず実施して、基地局のエア・インタフェースの電力圧力を軽減する。詳細は図６に示されている。図５に基づいて、例示的な解決策はさらに以下のステップを含む。
【００７４】
６０１では、基地局が、下方制御が優先的に実施されているＵＥを設定する。下方制御が優先的に実施されているＵＥがＱｏＳに対する敏感度に従ってもよい。例えば、回線交換ドメインにおける音声サービスはＱｏＳに敏感であり、パケット交換ドメインのデータ・パケット・アップロード・サービスはＱｏＳに敏感でないので、パケット交換ドメイン・サービスを実行しているＵＥを下方制御が優先的に実施されているＵＥとして設定してもよい。音声サービスはＱｏＳに敏感であるので、ＵＥの過度に小さな送信電力により呼サービスの過渡的な停滞または呼切断ですら生じ、それにより多大な影響がユーザ・エクスペリエンスに及ぶ。データ・パケットをアップロードするサービスの送信電力が小さいときには、データ・パケットのアップロードの手続きにおいてアップロードの停滞現象も生ずるが、ユーザに対して過度に大規模な効用の減少は生じない。したがって、比較して述べると、一部のＵＥの送信電力を減らす必要があるときには、回線交換ドメイン・サービスを実行しているＵＥの送信電力を優先的に保護する必要があり、パケット交換ドメイン・サービスを実行しているＵＥの送信電力を優先的に下方制御してもよい。
【００７５】
本発明の当該実施形態の適用シナリオにおいて、基地局がさらに、ＵＥがデータ送信を行っているかどうかに従って、下方制御が優先的に実施されているＵＥを設定してもよい。例えば、データ送信を行っていないＵＥを下方制御が優先的に実施されているＵＥとして設定してもよい。ネットワーク運用の観点からは、データ送信を行っていないＵＥの送信電力を維持することは基地局のエア・インタフェースの電力の無駄であり、ユーザの効用の観点からは、データ送信を行っているＵＥとデータ送信を行っていないＵＥにおいて、データ送信を行っているＵＥの送信電力を優先的に保証すべきであり、したがって比較して述べると、一部のＵＥの送信電力を減らす必要があるときには、データ送信を行っているＵＥの送信電力を優先的に保護する必要があり、データ送信を行っていないＵＥの送信電力を優先的に下方制御してもよい。
【００７６】
本発明の当該実施形態の別の適用シナリオでは、下方制御が優先的に実施されているＵＥを、以上の２つの設定方式を組み合わせることによって設定してもよい。例えば、データ送信を行っていないＵＥをさらにパケット交換ドメイン・サービスを実行しているＵＥから選択し、下方制御を当該ＵＥで優先的に実施する。さらに、電力下方制御手続きにおいて、データ送信を行っていないＵＥに対して、電力レベルが制御チャネルの送信品質を保証できる限りＵＥの送信電力を当該電力レベルに下方制御してもよい。以上の全てを、実際の動作環境の運用ポリシに従って運用者により設定、調節、および組み合せてもよく、本発明の当該実施形態で限定されるものではない。
【００７７】
６０２では、基地局が第２の輻輳閾値を設定する。当該第２の輻輳閾値は第１の輻輳閾値よりも小さい。第２の輻輳閾値を設定する目的は、当該基地局のエア・インタフェースのＲＴＷＰが当該第２の輻輳閾値に到達したが当該第１の輻輳閾値にはまだ到達していないときに、ＵＥの一部の送信電力を前もって下方制御して、当該基地局のエア・インタフェースのＲＴＷＰが当該第１の輻輳閾値に到達する前に、当該基地局のエア・インタフェースの電力圧力の一部を軽減することにある。当該ＵＥの一部とは、ステップ６０１で設定した下方制御が優先的に実施されているＵＥである。
【００７８】
６０３では、当該基地局のエア・インタフェースのＲＴＷＰが当該第２の輻輳閾値を超過したときには、下方制御が優先的に実施されているＵＥの送信電力を当該基地局が下方制御する。
【００７９】
送信電力の下方制御は以下のステップを含む。
（１）基地局が、ＲＮＣにより送信された下方制御が優先的に実施されているＵＥのターゲットＳＩＲを受信する。
（２）基地局が、当該ＲＮＣにより送信された下方制御が優先的に実施されている当該ＵＥの当該ターゲットＳＩＲを下方制御する。
（３）基地局が、下方制御が優先的に実施されているＵＥの下方制御したターゲットＳＩＲに基づいて、下方制御が優先的に実施されている当該ＵＥに送信電力を減らすよう通知する。
【００８０】
ステップ（１）、ステップ（２）およびステップ（３）の実行手続きはそれぞれ図５のステップ５０４、ステップ５０５、およびステップ５０６に対応してもよい。図５のステップ５０４、ステップ５０５、およびステップ５０６の実装を参照することができるので、詳細はここでは繰り返し説明することはしない。
【００８１】
図７に示す本発明の当該実施形態の適用シナリオは、ＵＥの送信電力の上昇効果（ｄｒｉｖｅ−ｕｐ  ｅｆｆｅｃｔ）のため、先行技術における当該基地局のエア・インタフェースのＲＴＷＰは正常な値−１０５ｄＢから−６５ｄＢまで上昇する。基地局の電力制御最適化の後に、当該基地局のエア・インタフェースのＲＴＷＰはその正常値から−８８ｄＢまで上昇し、ＲＴＷＰは先行技術の−６５ｄＢと比べて２３ｄＢだけ減少し、それにより当該基地局のエア・インタフェースのＲＴＷＰが効果的に下方制御され、基地局のエア・インタフェースの電力圧力が軽減される。
【００８２】
本発明の当該実施形態で提供する電力制御方法では、ＵＥのターゲットＳＩＲの上昇を基地局のエア・インタフェースの電力輻輳の場合において制限することができ、既に過度に高い基地局のエア・インタフェースのＲＴＷＰ上のＵＥの送信電力がさらに上昇することで形成される輻輳圧力が回避される。一方、本発明の当該実施形態の適用シナリオにおいて、既に上昇が制限されているターゲットＳＩＲの値を下方制御して、ＵＥの送信電力を減らすことができる。基地局のエア・インタフェースの電力輻輳の問題が解決され、システムの状態が安定化し、端末ユーザとＱｏＳに敏感なユーザのサービス品質が保証される。
【００８３】
さらに、本発明の当該実施形態の適用シナリオにおいて、当該基地局のエア・インタフェースのＲＴＷＰが当該第１の輻輳閾値に到達する前に、ＱｏＳに敏感でないサービスを実行しているＵＥの一部および／またはセル内でデータ送信を実施していないＵＥの一部の送信電力をさらに優先的に下方制御することができる。ユーザの効用に及ぼす影響が少ないＵＥは当該基地局のエア・インタフェースのＲＴＷＰの下方制御にさらに寄与し、ＱｏＳに敏感なサービスを実行しているＵＥの送信電力がさらに保証されるかまたは同時に増大され、当該基地局のエア・インタフェースのＲＴＷＰを減らす場合には、ＱｏＳに敏感なユーザのサービス品質が当該基地局のエア・インタフェースのＲＴＷＰの下方制御によって影響されないことが保証される。
【００８４】
さらに、本発明の当該実施形態の適用シナリオにおいて、異常保護をさらにＲＮＣに対して設定することができ、当該基地局のエア・インタフェースのＲＴＷＰが第１の輻輳閾値を超過しないことが保証され、同時にデータ・パケット送信成功率をさらに考慮することができる。
【００８５】
実施形態６
本発明の当該実施形態では電力制御方法を提供する。図８に示すように、当該方法は以下のステップを含む。
【００８６】
８０１では、基地局が第１の輻輳閾値を設定する。当該第１の輻輳閾値を実際の動作環境における現在のネットワーク状態に従って運用者により設定してもよく、現在のネットワーク状態が異なるセルに対しては異なる第１の輻輳閾値を設定してもよい。一方、異なる時点における同一セルの異なる現在のネットワーク状態に従うセルに対して異なる第１の輻輳閾値を設定してもよく、本発明の当該実施形態で限定されるものではない。
【００８７】
８０２では、当該基地局のエア・インタフェースのＲＴＷＰが当該第１の輻輳閾値を超過したかどうかを当該基地局が判定する。
【００８８】
当該エア・インタフェースのＲＴＷＰは基地局に関連する全てのＵＥの送信電力の和である。当該エア・インタフェースのＲＴＷＰが当該第１の輻輳閾値を超過するときには、輻輳現象が当該基地局で発生しており、セルの状態は不安定で、端末ユーザのカバレッジ品質が低下する。音声サービスのようなＱｏＳに敏感なサービスでは特に、過渡的な呼停滞のような現象または音声遅延が容易に生じ、深刻な場合にはさらに呼切断現象が生じ、ユーザのサービス・エクスペリエンスに影響が生ずる。したがって、当該基地局のエア・インタフェースのＲＴＷＰが当該第１の輻輳閾値を超過したときには、当該基地局のエア・インタフェースのＲＴＷＰを制限する必要がある。
【００８９】
８０３では、当該基地局のエア・インタフェースのＲＴＷＰが当該第１の輻輳閾値を超過したときには、当該基地局が輻輳指示をＲＮＣに送信する。
【００９０】
当該輻輳指示は当該ＲＮＣがターゲットＳＩＲの上方制御を禁じられていることを示すのに使用される。ＲＮＣが、ＵＥがデータをアップロードしたときのブロック・エラー率、ＨＡＲＱ送信率またはエア・インタフェース・パケット損失率に従ってＵＥのターゲットＳＩＲを調節してもよい。ブロック・エラー率を例としてとる。即ち、ＵＥがデータをアップロードしたときにブロック・エラー率が相対的に高い場合には、ＲＮＣがＵＥのターゲットＳＩＲを上方制御して、ＵＥの送信電力を増大させ、それによりブロック・エラー率を減らす。ＵＥがデータをアップロードしたときにブロック・エラー率が小さい場合には、アップリンク・データの送信電力を節約するために、ＲＮＣはＵＥのターゲットＳＩＲを下方制御して、ＵＥの送信電力を減らす。輻輳が基地局のエア・インタフェースで発生しているときには、ネットワークの全体的な安定性を保証するために、ＵＥがデータをアップロードしたときにブロック・エラー率が高い場合であっても、ＲＮＣはＵＥのターゲットＳＩＲを上方制御することはできず、それにより、基地局のエア・インタフェースのＲＴＷＰがさらに上昇しないことを保証する。
【００９１】
基地局が輻輳指示をＲＮＣに送信した後に、ＲＮＣはＵＥのターゲットＳＩＲを上方制御することを禁じられるが、ＵＥがデータをアップロードしたときにブロック・エラー率が小さい場合には、ＲＮＣはＵＥのターゲットＳＩＲを下方制御してもよいことに留意されたい。ＵＥのターゲットＳＩＲの下方制御は当該基地局のエア・インタフェースのＲＴＷＰをさらには増大させず、実際には当該基地局のエア・インタフェースのＲＴＷＰをさらに減らし、したがって、ＲＮＣによるＵＥのターゲットＳＩＲの下方制御機能は限定されない。
【００９２】
本発明の当該実施形態の適用シナリオにおいて、輻輳指示をＲＮＣに送信する前に、当該基地局はさらにアップリンク・パケット・スケジューリングを停止してもよい。回線交換ドメイン・サービスと比べて、パケット交換ドメイン・サービスのＱｏＳ感受性は低く、当該基地局のエア・インタフェースのＲＴＷＰが当該第１の輻輳閾値を超過したときには、パケット交換ドメインが断続的に大量のデータ・パケットをアップロードし続けるのを優先的に止めて、基地局のエア・インタフェースの電力圧力を軽減してもよい。例えば、ユーザの大量のデータ・パケットのアップロードを一時的に停止してもよく、ユーザ・プレーンの視点からは、サービス・データをアップロードするための送信時間が長い場合には、大量のデータ・パケットを短時間アップリンクで停止することにより追加された待機時間によりユーザの限界効用を縮小させる。当該縮小はユーザ・エクスペリエンスにさらなる影響は及ぼさない。
【００９３】
８０４では、当該基地局が当該ＲＮＣにより送信されたターゲットＳＩＲを受信する。当該基地局のエア・インタフェースのＲＴＷＰが当該第１の輻輳閾値を超過したときには、当該基地局が輻輳指示をＲＮＣに送信して、ＲＮＣがターゲットＳＩＲを上方制御するのを禁じられていることを示す。ターゲットＳＩＲを上方制御する必要がある場合には、当該基地局により送信された輻輳指示に従ってＲＮＣはターゲットＳＩＲを上方制御せず、上方制御されていないターゲットＳＩＲを当該基地局に送信する。当該基地局は、ＲＮＣにより送信され上昇が制限されているターゲットＳＩＲを受信する。
【００９４】
８０５では、当該基地局が、当該ＲＮＣにより送信されたターゲットＳＩＲに基づいて、送信電力を制限するようにＵＥに通知する。
【００９５】
ＳＩＲはＵＥがアップリンク・データを送信したときの送信電力対干渉信号比として定義される。特定のＵＥに対して、干渉信号の規模は大きくは変化せず、近似的に不変であるとみなしてもよい。ＲＮＣにより制限されているときにターゲットＳＩＲを上方制御しない場合には、ＵＥの送信電力はさらには上昇せず、それにより、ＵＥの送信電力および当該基地局のエア・インタフェースのＲＴＷＰを制限するという目的が達成される。例えば、ＷＣＤＭＡ（登録商標）ネットワークでは、異なるキャリアが同一の周波数点を使用し、これが自己干渉現象を生じさせる。即ち、特定のＵＥに対して、別のＵＥの送信電力は当該ＵＥの干渉信号である。多数のＵＥがセル内に存在するので、或るＵＥに対して、別のＵＥにより生成された干渉信号はほぼ安定的である。したがって、当該ＵＥの実際のＳＩＲの値を、当該ＵＥの送信電力を制限することによって制限することができる。
【００９６】
基地局により測定されたＵＥの実際のＳＩＲはターゲットＳＩＲと厳密に等しくはないが、ターゲットＳＩＲの周りで変動しターゲットＳＩＲに収束することに留意されたい。実際のＳＩＲはターゲットＳＩＲより大きいかまたはターゲットＳＩＲより小さいが、当該ターゲットＳＩＲは基地局がＵＥの送信電力を調節する基礎の役割を果たし、依然として実際のＳＩＲを誘導する上で重要である。ターゲットＳＩＲの上昇が制限されていないときには、実際のＳＩＲも対応する変動間隔での上昇が制限され、それによりＵＥの送信電力を制限するという目的が達成される。
【００９７】
本発明の当該実施形態の別の適用シナリオでは、当該基地局がＲＮＣにより上昇が制限されているターゲットＳＩＲを下方制御してもよい。ＲＮＣがターゲットＳＩＲの上昇を制限することにより、当該基地局のエア・インタフェースのＲＴＷＰがさらに上昇しないことを保証できるが、輻輳現象が基地局で既に発生しているので、単に当該基地局のエア・インタフェースのＲＴＷＰを制限するだけでは当該基地局の輻輳現象を排除することができない。したがって、当該基地局はＲＮＣにより上昇が制限されているターゲットＳＩＲを下方制御して、ＵＥのターゲットＳＩＲをさらに減らし、ＵＥの送信電力を減らすことにより、当該基地局のエア・インタフェースのＲＴＷＰを第１の輻輳閾値より小さい値に減らす必要がある。
【００９８】
本発明の当該実施形態の別の適用シナリオでは、さらにＲＮＣを異常から保護してもよい。基地局のエア・インタフェースが第１の輻輳閾値に到達した後に、ＲＮＣはターゲットＳＩＲを上方制御するのを禁じられている状態にある。或る期間内に、ＲＮＣが基地局により再送された輻輳指示を受信しない場合には、ターゲットＳＩＲを上方制御することを禁じられるという制限は自動的に削除され、ＲＮＣは、ＵＥがデータをアップロードしたときのブロック・エラー率、ＨＡＲＱ送信率またはエア・インタフェース・パケット損失率に従ってＵＥのターゲットＳＩＲを上方制御または下方制御することができる。当該期間は、実際の動作環境に従って運用者により設定された禁止解禁期間である。ＲＮＣがターゲットＳＩＲを上方制御するのを禁ずる機能により当該基地局のエア・インタフェースのＲＴＷＰのさらなる上昇を制限してもよいが、この制限にはデータ・パケットの送信成功率を減らすという代償が伴う。動作手続きでは、当該基地局のエア・インタフェースのＲＴＷＰが第１の輻輳閾値を超過しないことを保証するのと同時に、データ・パケット送信成功率をさらに考慮する必要があり、したがってＲＮＣを異常から保護する必要がある。
【００９９】
さらに、本発明の当該実施形態の別の適用シナリオでは、本発明の当該実施形態において、下方制御が優先的に実施されているＵＥをユーザ・サービス機能やユーザ送信状態に従ってさらに設定してもよく、第２の輻輳閾値をさらに設定してもよい。当該基地局のエア・インタフェースのＲＴＷＰが当該第２の輻輳閾値を超過したときには、下方制御が優先的に実施されているＵＥに対して電力の下方制御を先ず実施して、基地局のエア・インタフェースの電力圧力を軽減する。詳細を図６に示す。図８に基づいて、当該例示的な解決策はさらに以下のステップを含む。
【０１００】
６０１では、基地局が、下方制御が優先的に実施されているＵＥを設定する。下方制御が優先的に実施されているＵＥがＱｏＳに対する敏感度に従ってもよい。例えば、回線交換ドメインにおける音声サービスはＱｏＳに敏感であり、パケット交換ドメインのデータ・パケット・アップロード・サービスはＱｏＳに敏感でないので、パケット交換ドメイン・サービスを実行しているＵＥを、下方制御が優先的に実施されているＵＥとして設定してもよい。音声サービスはＱｏＳに敏感であるので、ＵＥの過度に小さな送信電力により呼サービスの過渡的な停滞または呼切断ですら生じ、それにより多大な影響がユーザ・エクスペリエンスに及ぶ。データ・パケットをアップロードするサービスの送信電力が小さいときには、データ・パケットのアップロードの手続きにおいてアップロードの停滞現象も生ずるが、ユーザに対して過度に大規模な効用の減少は生じない。したがって、比較して述べると、一部のＵＥの送信電力を減らす必要があるときには、回線交換ドメイン・サービスを実行しているＵＥの送信電力を優先的に保護する必要があり、パケット交換ドメイン・サービスを実行しているＵＥの送信電力を優先的に下方制御してもよい。
【０１０１】
本発明の当該実施形態の適用シナリオにおいて、基地局がさらに、ＵＥがデータ送信を行っているかどうかに従って、下方制御が優先的に実施されているＵＥを設定してもよい。例えば、データ送信を行っていないＵＥを下方制御が優先的に実施されているＵＥとして設定してもよい。ネットワーク運用の観点からは、データ送信を行っていないＵＥの送信電力を維持することは基地局のエア・インタフェースの電力の無駄であり、ユーザの効用の観点からは、データ送信を行っているＵＥとデータ送信を行っていないＵＥにおいて、データ送信を行っているＵＥの送信電力を優先的に保証すべきであり、したがって比較して述べると、一部のＵＥの送信電力を減らす必要があるときには、データ送信を行っているＵＥの送信電力を優先的に保護する必要があり、データ送信を行っていないＵＥの送信電力を優先的に下方制御してもよい。
【０１０２】
本発明の当該実施形態の別の適用シナリオでは、下方制御が優先的に実施されているＵＥを、以上の２つの設定方式を組み合わせることによって設定してもよい。例えば、データ送信を行っていないＵＥをさらにパケット交換ドメイン・サービスを実行しているＵＥから選択し、下方制御を当該ＵＥで優先的に実施する。さらに、電力下方制御手続きにおいて、データ送信を行っていないＵＥに対して、電力レベルが制御チャネルの送信品質を保証できる限りＵＥの送信電力を当該電力レベルに下方制御してもよい。以上の全てを、実際の動作環境の運用ポリシに従って運用者により設定、調節、および組み合せてもよく、本発明の当該実施形態で限定されるものではない。
【０１０３】
６０２では、基地局が第２の輻輳閾値を設定する。当該第２の輻輳閾値は第１の輻輳閾値よりも小さい。第２の輻輳閾値を設定する目的は、当該基地局のエア・インタフェースのＲＴＷＰが当該第２の輻輳閾値に到達したが当該第１の輻輳閾値にはまだ到達していないときに、ＵＥの一部の送信電力を前もって下方制御して、当該基地局のエア・インタフェースのＲＴＷＰが当該第１の輻輳閾値に到達する前に、当該基地局のエア・インタフェースの電力圧力の一部を軽減することにある。当該ＵＥの一部とは、ステップ６０１で設定した下方制御が優先的に実施されているＵＥである。
【０１０４】
６０３では、当該基地局のエア・インタフェースのＲＴＷＰが当該第２の輻輳閾値を超過したときには、下方制御が優先的に実施されているＵＥの送信電力を当該基地局が下方制御する。
【０１０５】
送信電力の下方制御は以下のステップを含む。
（１）基地局が、ＲＮＣにより送信された下方制御が優先的に実施されているＵＥのターゲットＳＩＲを受信する。
（２）当該基地局が、当該ＲＮＣにより送信された下方制御が優先的に実施されている当該ＵＥの当該ターゲットＳＩＲを下方制御する。
（３）当該基地局が、下方制御が優先的に実施されているＵＥの下方制御したターゲットＳＩＲに基づいて、下方制御が優先的に実施されている当該ＵＥに送信電力を減らすよう通知する。
【０１０６】
ステップ（１）、ステップ（２）およびステップ（３）の実行手続きはそれぞれ図５のステップ５０４、ステップ５０５、およびステップ５０６に対応してもよく、図５のステップ５０４、ステップ５０５、およびステップ５０６の実装を参照することができるので、詳細はここでは繰り返し説明することはしない。
【０１０７】
本発明の当該実施形態で提供する電力制御方法では、ＵＥのターゲットＳＩＲの上昇を基地局のエア・インタフェースの電力輻輳の場合において制限することができ、既に過度に高い基地局のエア・インタフェースのＲＴＷＰ上のＵＥの送信電力がさらに上昇することで形成される輻輳圧力が回避される。
【０１０８】
さらに、本発明の当該実施形態の適用シナリオにおいて、既に上昇が制限されているターゲットＳＩＲの値を下方制御して、ＵＥの送信電力を減らすことができる。基地局のエア・インタフェースの電力輻輳の問題が解決され、システムの状態が安定化し、端末ユーザとＱｏＳに敏感なユーザのサービス品質が保証される。
【０１０９】
さらに、本発明の当該実施形態の適用シナリオにおいて、当該基地局のエア・インタフェースのＲＴＷＰが当該第１の輻輳閾値に到達する前に、ＱｏＳに敏感でないサービスを実行しているＵＥの一部および／またはセル内でデータ送信を実施していないＵＥの一部の送信電力をさらに優先的に下方制御することができる。ユーザの効用に及ぼす影響が少ないＵＥは当該基地局のエア・インタフェースのＲＴＷＰの下方制御にさらに寄与し、ＱｏＳに敏感なサービスを実行しているＵＥの送信電力がさらに保証されるかまたは同時に増大され、当該基地局のエア・インタフェースのＲＴＷＰを減らす場合には、ＱｏＳに敏感なユーザのサービス品質が当該基地局のエア・インタフェースのＲＴＷＰの下方制御によって影響されないことが保証される。
【０１１０】
さらに、本発明の当該実施形態の適用シナリオにおいて、異常保護をさらにＲＮＣに対して設定することができ、当該基地局のエア・インタフェースのＲＴＷＰが第１の輻輳閾値を超過しないことが保証され、同時にデータ・パケット送信成功率をさらに考慮することができる。
【０１１１】
実施形態７
本発明の当該実施形態では電力制御方法を提供する。図９に示すように、当該方法は以下のステップを含む。
【０１１２】
９０１では、基地局がＲＮＣにより送信されたターゲットＳＩＲを受信する。９０２では、当該基地局が第１の輻輳閾値を設定する。当該第１の輻輳閾値を実際の動作環境における現在のネットワーク状態に従って運用者により設定してもよく、現在のネットワーク状態が異なるセルに対しては異なる第１の輻輳閾値を設定してもよい。一方、異なる時点における同一セルの異なる現在のネットワーク状態に従うセルに対して異なる第１の輻輳閾値を設定してもよく、本発明の当該実施形態で限定されるものではない。
【０１１３】
９０３では、当該基地局のエア・インタフェースのＲＴＷＰが当該第１の輻輳閾値を超過したかどうかを当該基地局が判定する。
【０１１４】
当該エア・インタフェースのＲＴＷＰは基地局に関連する全てのＵＥの送信電力の和である。当該エア・インタフェースのＲＴＷＰが当該第１の輻輳閾値を超過するときには、輻輳現象が当該基地局で発生しており、セルの状態は不安定で、端末ユーザのカバレッジ品質が低下する。音声サービスのようなＱｏＳに敏感なサービスでは特に、過渡的な呼停滞のような現象または音声遅延が容易に生じ、深刻な場合にはさらに呼切断現象が生じ、ユーザのサービス・エクスペリエンスに影響が生ずる。したがって、当該基地局のエア・インタフェースのＲＴＷＰが当該第１の輻輳閾値を超過したときには、基地局のエア・インタフェースのＲＴＷＰを下方制御する必要がある。
【０１１５】
９０４では、当該基地局が当該ＲＮＣにより送信されたターゲットＳＩＲを下方制御する。当該基地局が当該ＲＮＣにより送信されたターゲットＳＩＲを下方制御して、ＵＥのターゲットＳＩＲを減らし、さらにＵＥの送信電力を減らす。それにより、当該基地局のエア・インタフェースのＲＴＷＰを当該第１の輻輳閾値より小さい値に減らす。
【０１１６】
本発明の当該実施形態の適用シナリオにおいて、基地局が定期的かつ均等にターゲットＳＩＲを下方制御してもよい。例えば、当該ターゲットＳＩＲを１０ｍｓごとに０．２ｄＢだけ下方制御してもよく、期間の長さと或る期間における下方制御の範囲の設定は本発明の当該実施形態では限定されない。
【０１１７】
本発明の当該実施形態の別の適用シナリオでは、基地局が下方制御期間をさらに短縮してもよく、高速な短ステップ期間を介してＵＥのターゲットＳＩＲを下方制御して下方制御効果を高める。ＲＮＣが外部ループ電力制御の方式でＵＥのターゲットＳＩＲを調節する期間は長いので、ＲＮＣがＵＥのターゲットＳＩＲを調節する期間を短縮することによりトラフィックの影響がＲＮＣと基地局の間のインタフェースに容易に及ぶ。したがって、短ステップ期間の下方制御を、基地局自体を介してＵＥのターゲットＳＩＲに対して実施してもよい。
【０１１８】
さらに、本発明の当該実施形態の適用シナリオにおいて、当該基地局のエア・インタフェースのＲＴＷＰが第１の輻輳閾値を超過したと判定したときに、当該基地局がさらに輻輳指示を当該ＲＮＣに送信してもよい。輻輳指示を受信した後に、ＲＮＣがさらにターゲットＳＩＲの上昇を制限し、したがって、さらに基地局のエア・インタフェースの電力圧力の悪化を回避することができる。
【０１１９】
ＲＮＣにより送信され上昇が制限されているターゲットＳＩＲを受信した後に、当該基地局が、上昇が制限されたターゲットＳＩＲを下方制御し、当該基地局のエア・インタフェースのＲＴＷＰを当該第１の輻輳閾値より小さい値に下方制御する。
【０１２０】
さらに、本発明の当該実施形態の別の適用シナリオでは、当該ＲＮＣにより送信されたターゲットＳＩＲを下方制御する前に、当該基地局はさらにアップリンク・パケット・スケジューリングを停止してもよい。回線交換ドメイン・サービスと比べて、パケット交換ドメイン・サービスのＱｏＳ感受性は低く、当該基地局のエア・インタフェースのＲＴＷＰが当該第１の輻輳閾値を超過したときには、パケット交換ドメインが断続的に大量のデータ・パケットをアップロードし続けるのを優先的に止めて、基地局のエア・インタフェースの電力圧力を軽減する。例えば、ユーザの大量のデータ・パケットのアップロードを一時的に停止してもよく、ユーザ・プレーンの視点からは、サービス・データをアップロードするための送信時間が長い場合には、大量のデータ・パケットを短時間アップリンクで停止することにより追加された待機時間によりユーザの限界効用を縮小させる。当該縮小はユーザ・エクスペリエンスにさらなる影響は及ぼさない。
【０１２１】
９０５では、当該基地局が、下方制御したターゲットＳＩＲに基づいて、送信電力を減らすようにＵＥに通知する。
【０１２２】
ＳＩＲはＵＥがアップリンク・データを送信したときの送信電力対干渉信号比として定義される。特定のＵＥに対して、干渉信号の規模は大きくは変化せず、近似的に不変であるとみなしてもよい。基地局の下方制御を通じてターゲットＳＩＲを減らすときに、ＵＥの送信電力が減らされた場合にのみ、データをアップロードするためのＵＥの実際のＳＩＲをターゲットＳＩＲまで減らすことができ、ＵＥの送信電力を減らし基地局のエア・インタフェースのＲＴＷＰを減らすという目的が達成される。例えば、ＷＣＤＭＡ（登録商標）ネットワークでは、異なるキャリアが同一の周波数点を使用し、これが自己干渉現象を生じさせる。即ち、特定のＵＥに対して、別のＵＥの送信電力は当該ＵＥの干渉信号である。多数のＵＥがセル内に存在するので、或るＵＥに対して、別のＵＥにより生成された干渉信号はほぼ安定的である。したがって、当該ＵＥの実際のＳＩＲの値を、ＵＥの送信電力を減らすことによって減らすことができる。
【０１２３】
本発明の当該実施形態の適用シナリオにおいて、基地局が、タイム・スロットのグレードの粒度でのターゲットＳＩＲに従って下方制御をＵＥの送信電力に対して実施してもよく、それにより、当該基地局のエア・インタフェースのＲＴＷＰを制御する細かさとリアルタイム性能がさらに高まる。
【０１２４】
基地局により測定されたＵＥの実際のＳＩＲはターゲットＳＩＲと厳密に等しくはないが、ターゲットＳＩＲの周りで変動しターゲットＳＩＲに収束することに留意されたい。実際のＳＩＲはターゲットＳＩＲより大きいかまたはターゲットＳＩＲより小さいが、当該ターゲットＳＩＲは基地局がＵＥの送信電力を調節する基礎の役割を果たし、依然として実際のＳＩＲを誘導する上で重要である。ターゲットＳＩＲが低下したときには、実際のＳＩＲは対応する変動間隔でも低下し、それにより、ＵＥの送信電力を減らす目的が達成される。
【０１２５】
本発明の当該実施形態の別の適用シナリオでは、さらにＲＮＣを異常から保護してもよい。基地局のエア・インタフェースが第１の輻輳閾値に到達した後に、ＲＮＣはターゲットＳＩＲを上方制御するのを禁じられている状態にある。或る期間内に、ＲＮＣが基地局により再送された輻輳指示を受信しない場合には、ターゲットＳＩＲを上方制御することを禁じられるという制限は自動的に削除され、ＲＮＣは、ＵＥがデータをアップロードしたときのブロック・エラー率、ＨＡＲＱ送信率またはエア・インタフェース・パケット損失率に従ってＵＥのターゲットＳＩＲを上方制御または下方制御することができる。当該期間は、実際の動作環境に従って運用者により設定された禁止解禁期間である。ＲＮＣがターゲットＳＩＲを上方制御するのを禁ずる機能により当該基地局のエア・インタフェースのＲＴＷＰのさらなる上昇を制限してもよいが、この制限にはデータ・パケットの送信成功率を減らすという代償が伴う。動作手続きでは、当該基地局のエア・インタフェースのＲＴＷＰが第１の輻輳閾値を超過しないことを保証するのと同時に、データ・パケット送信成功率をさらに考慮する必要があり、したがってＲＮＣを異常から保護する必要がある。
【０１２６】
さらに、本発明の当該実施形態の別の適用シナリオでは、当該基地局のエア・インタフェースのＲＴＷＰが当該第１の輻輳閾値より小さい値に低下したとき、基地局が当該ＲＮＣにより送信されたターゲットＳＩＲを上方制御してもよい。ターゲットＳＩＲを上方制御する目的は、基地局のエア・インタフェースの電力圧力を軽減した後に、ターゲットＳＩＲを上方制御する方式でＵＥの送信電力を上方制御して、ＵＥがデータ・パケットを送信する成功率を改善することにある。基地局が短いステップでターゲットＳＩＲを安定的に上方制御し、基地局のＲＴＷＰが第１の輻輳閾値と等しいときのターゲットＳＩＲを上方制御すべきターゲットＳＩＲが超過しないことを制限としてとり、それによりＵＥがデータ・パケットを送信する成功率を可能な限り改善し当該基地局のエア・インタフェースのＲＴＷＰが再び第１の輻輳閾値を超過しない場合にユーザ・サービスの品質を保証する。データ・パケットを送信するためのＵＥの実際のＳＩＲはターゲットＳＩＲの周りで変動しターゲットＳＩＲに収束し、基地局のＲＴＷＰが第１の輻輳閾値と等しいときのターゲットＳＩＲを上方制御されたターゲットＳＩＲが超過しないが、増大した基地局のエア・インタフェースのＲＴＷＰが再び第１の輻輳閾値を超過するという場合が生ずることに留意されたい。この場合、ステップ９０４とステップ９０５が繰り返し実行され、当該基地局のエア・インタフェースのＲＴＷＰを再び下方制御する。具体的な手続きについては、図９のステップ９０４乃至ステップ９０５の実装を参照することができるので、詳細はここでは繰り返し説明することはしない。
【０１２７】
さらに、本発明の当該実施形態の別の適用シナリオでは、本発明の当該実施形態において、下方制御が優先的に実施されているＵＥをユーザ・サービス機能やユーザ送信状態に従ってさらに設定してもよく、第２の輻輳閾値をさらに設定してもよい。当該基地局のエア・インタフェースのＲＴＷＰが当該第２の輻輳閾値を超過したときには、下方制御が優先的に実施されているＵＥに対して電力の下方制御を先ず実施して、基地局のエア・インタフェースの電力圧力を軽減する。詳細は図６に示されている。図９に基づいて、当該例示的な解決策はさらに以下のステップを含む。
【０１２８】
６０１では、基地局が、下方制御が優先的に実施されているＵＥを設定する。下方制御が優先的に実施されているＵＥがＱｏＳに対する敏感度に従ってもよい。例えば、回線交換ドメインにおける音声サービスはＱｏＳに敏感であり、パケット交換ドメインのデータ・パケット・アップロード・サービスはＱｏＳに敏感でないので、パケット交換ドメイン・サービスを実行しているＵＥを下方制御が優先的に実施されているＵＥとして設定してもよい。音声サービスはＱｏＳに敏感であるので、ＵＥの過度に小さな送信電力により呼サービスの過渡的な停滞または呼切断ですら生じ、それにより多大な影響がユーザ・エクスペリエンスに及ぶ。データ・パケットをアップロードするサービスの送信電力が小さいときには、データ・パケットのアップロードの手続きにおいてアップロードの停滞現象も生ずるが、ユーザに対して過度に大規模な効用の減少は生じない。したがって、比較して述べると、一部のＵＥの送信電力を減らす必要があるときには、回線交換ドメイン・サービスを実行しているＵＥの送信電力を優先的に保護する必要があり、パケット交換ドメイン・サービスを実行しているＵＥの送信電力を優先的に下方制御してもよい。
【０１２９】
本発明の当該実施形態の適用シナリオにおいて、基地局がさらに、ＵＥがデータ送信を行っているかどうかに従って、下方制御が優先的に実施されているＵＥを設定してもよい。例えば、データ送信を行っていないＵＥを下方制御が優先的に実施されているＵＥとして設定してもよい。ネットワーク運用の観点からは、データ送信を行っていないＵＥの送信電力を維持することは基地局のエア・インタフェースの電力の無駄であり、ユーザの効用の観点からは、データ送信を行っているＵＥとデータ送信を行っていないＵＥにおいて、データ送信を行っているＵＥの送信電力を優先的に保証すべきであり、したがって比較して述べると、一部のＵＥの送信電力を減らす必要があるときには、データ送信を行っているＵＥの送信電力を優先的に保護する必要があり、データ送信を行っていないＵＥの送信電力を優先的に下方制御してもよい。
【０１３０】
本発明の当該実施形態の別の適用シナリオでは、下方制御が優先的に実施されているＵＥを、以上の２つの設定方式を組み合わせることによって設定してもよい。例えば、データ送信を行っていないＵＥをさらにパケット交換ドメイン・サービスを実行しているＵＥから選択し、下方制御を当該ＵＥで優先的に実施する。さらに、電力下方制御手続きにおいて、データ送信を行っていないＵＥに対して、電力レベルが制御チャネルの送信品質を保証できる限りＵＥの送信電力を当該電力レベルに下方制御してもよい。以上の全てを、実際の動作環境の運用ポリシに従って運用者により設定、調節、および組み合せてもよく、本発明の当該実施形態で限定されるものではない。
【０１３１】
６０２では、基地局が第２の輻輳閾値を設定する。当該第２の輻輳閾値は第１の輻輳閾値よりも小さい。第２の輻輳閾値を設定する目的は、当該基地局のエア・インタフェースのＲＴＷＰが当該第２の輻輳閾値に到達したが当該第１の輻輳閾値にはまだ到達していないときに、ＵＥの一部の送信電力を前もって下方制御して、当該基地局のエア・インタフェースのＲＴＷＰが当該第１の輻輳閾値に到達する前に、当該基地局のエア・インタフェースの電力圧力の一部を軽減することにある。当該ＵＥの一部とは、ステップ６０１で設定した下方制御が優先的に実施されているＵＥである。
【０１３２】
６０３では、当該基地局のエア・インタフェースのＲＴＷＰが当該第２の輻輳閾値を超過したときには、下方制御が優先的に実施されているＵＥの送信電力を当該基地局が下方制御する。
【０１３３】
送信電力の下方制御は以下のステップを含む。
（１）基地局が、ＲＮＣにより送信された下方制御が優先的に実施されているＵＥのターゲットＳＩＲを受信する。
（２）当該基地局が、当該ＲＮＣにより送信された下方制御が優先的に実施されている当該ＵＥの当該ターゲットＳＩＲを下方制御する。
（３）当該基地局が、下方制御が優先的に実施されているＵＥの下方制御したターゲットＳＩＲに基づいて、下方制御が優先的に実施されている当該ＵＥに送信電力を減らすよう通知する。
【０１３４】
ステップ（１）、ステップ（２）およびステップ（３）の実行手続きはそれぞれ図５のステップ５０４、ステップ５０５、およびステップ５０６に対応してもよく、図５のステップ５０４、ステップ５０５、およびステップ５０６の実装を参照することができるので、詳細はここでは繰り返し説明することはしない。
【０１３５】
本発明の当該実施形態で提供する電力制御方法では、当該ＲＮＣにより送信されたターゲットＳＩＲの値を下方制御して、ＵＥの送信電力を減らすことができる。基地局のエア・インタフェースの電力輻輳の問題が解決され、システムの状態が安定化し、端末ユーザとＱｏＳに敏感なユーザのサービス品質が保証される。
【０１３６】
さらに、本発明の当該実施形態の適用シナリオにおいて、ＵＥのターゲットＳＩＲの上昇を基地局のエア・インタフェースの電力輻輳の場合において制限することができ、既に過度に高い基地局のエア・インタフェースのＲＴＷＰ上のＵＥの送信電力がさらに上昇することで形成される輻輳圧力が回避される。
【０１３７】
さらに、本発明の当該実施形態の適用シナリオにおいて、当該基地局のエア・インタフェースのＲＴＷＰが当該第１の輻輳閾値に到達する前に、ＱｏＳに敏感でないサービスを実行しているＵＥの一部および／またはセル内でデータ送信を実施していないＵＥの一部の送信電力をさらに優先的に下方制御することができる。ユーザの効用に及ぼす影響が少ないＵＥは当該基地局のエア・インタフェースのＲＴＷＰの下方制御にさらに寄与し、ＱｏＳに敏感なサービスを実行しているＵＥの送信電力がさらに保証されるかまたは同時に増大され、および当該基地局のエア・インタフェースのＲＴＷＰを減らす場合には、ＱｏＳに敏感なユーザのサービス品質が当該基地局のエア・インタフェースのＲＴＷＰの下方制御によって影響されないことが保証される。
【０１３８】
さらに、本発明の当該実施形態の適用シナリオにおいて、異常保護をさらにＲＮＣに対して設定することができ、当該基地局のエア・インタフェースのＲＴＷＰが第１の輻輳閾値を超過しないことが保証され、同時にデータ・パケット送信成功率をさらに考慮することができる。
【０１３９】
実施形態８
以上の方法の実施形態の実装形態を参照すると、本発明の当該実施形態では電力制御装置を提供する。当該装置を以上の本発明の方法の実施形態を実装するように構成してもよい。図１０に示すように、当該装置は、第１の判定ユニット１００１、第１の送信ユニット１００２、第１の受信ユニット１００３、第１の制御ユニット１００４および第１の通知ユニット１００５を備える。
【０１４０】
第１の判定ユニット１００１を、方法の実施形態５のステップ５０２を実行、即ち、基地局のエア・インタフェースのＲＴＷＰが第１の輻輳閾値を超過したかどうかを判定するように構成してもよい。
【０１４１】
当該エア・インタフェースのＲＴＷＰは基地局に関連する全てのＵＥの送信電力の和である。当該エア・インタフェースのＲＴＷＰが当該第１の輻輳閾値を超過するときには、輻輳現象が当該基地局で発生しており、セルの状態は不安定で、端末ユーザのカバレッジ品質が低下する。音声サービスのようなＱｏＳに敏感なサービスでは特に、過渡的な呼停滞のような現象または音声遅延が容易に生じ、深刻な場合にはさらに呼切断現象が生じ、ユーザのサービス・エクスペリエンスに影響が生ずる。したがって、当該基地局のエア・インタフェースのＲＴＷＰが当該第１の輻輳閾値を超過したときには、当該基地局のエア・インタフェースのＲＴＷＰを制限する必要がある。
【０１４２】
第１の送信ユニット１００２を、方法の実施形態５のステップ５０３を実行、即ち、当該基地局のエア・インタフェースのＲＴＷＰが当該第１の輻輳閾値を超過したと第１の判定ユニット１００１が判定したときに、輻輳指示をＲＮＣに送信するように構成してもよい。
【０１４３】
当該輻輳指示は当該ＲＮＣがターゲットＳＩＲの上方制御を禁じられていることを示すのに使用される。ＲＮＣが、ＵＥがデータをアップロードしたときのブロック・エラー率、ＨＡＲＱ送信率またはエア・インタフェース・パケット損失率に従ってＵＥのターゲットＳＩＲを調節してもよい。ブロック・エラー率を例としてとる。即ち、ＵＥがデータをアップロードしたときにブロック・エラー率が高い場合には、ＲＮＣがＵＥのターゲットＳＩＲを上方制御して、ＵＥの送信電力を増大させ、それによりブロック・エラー率を減らす。ＵＥがデータをアップロードしたときにブロック・エラー率が小さい場合には、アップリンク・データの送信電力を節約するために、ＲＮＣはＵＥのターゲットＳＩＲを下方制御して、ＵＥの送信電力を減らす。輻輳が基地局のエア・インタフェースで発生しているときには、ネットワークの全体的な安定性を保証するために、ＵＥがデータをアップロードしたときにブロック・エラー率が高い場合であっても、ＲＮＣはＵＥのターゲットＳＩＲを上方制御することはできず、それにより、基地局のエア・インタフェースのＲＴＷＰがさらに上昇しないことを保証する。
【０１４４】
第１の送信ユニット１００２が当該輻輳指示をＲＮＣに送信した後に、ＲＮＣはＵＥのターゲットＳＩＲを上方制御することを禁じられるが、ＵＥがデータをアップロードしたときにブロック・エラー率が小さい場合には、ＲＮＣはＵＥのターゲットＳＩＲを下方制御してもよいことに留意されたい。ＵＥのターゲットＳＩＲの下方制御は当該基地局のエア・インタフェースのＲＴＷＰをさらには増大させず、実際には当該基地局のエア・インタフェースのＲＴＷＰをさらに減らし、したがって、ＲＮＣによるＵＥのターゲットＳＩＲの下方制御機能は限定されない。
【０１４５】
第１の受信ユニット１００３を、方法の実施形態５のステップ５０４を実行、即ち、当該ＲＮＣにより送信されたターゲットＳＩＲを受信するように構成してもよい。
【０１４６】
当該基地局のエア・インタフェースのＲＴＷＰが当該第１の輻輳閾値を超過したときには、第１の送信ユニット１００２は輻輳指示をＲＮＣに送信して、ＲＮＣがターゲットＳＩＲを上方制御するのを禁じられていることを示す。ターゲットＳＩＲを上方制御する必要がある場合には、ＲＮＣは第１の送信ユニット１００２により送信された当該輻輳指示に従ってターゲットＳＩＲを上方制御せず、上方制御されていないターゲットＳＩＲを第１の受信ユニット１００３に送信する。
【０１４７】
第１の制御ユニット１００４を、方法の実施形態５のステップ５０５を実行、即ち、当該ＲＮＣにより送信され第１の受信ユニット１００３により受信された当該ターゲットＳＩＲを下方制御するように構成してもよい
【０１４８】
第１の制御ユニット１００４が、ＲＮＣにより上昇が制限されているターゲットＳＩＲを下方制御する。ＲＮＣがターゲットＳＩＲの上昇を制限することだけでは当該基地局のエア・インタフェースのＲＴＷＰがさらに上昇しないことを保証できないが、輻輳現象が基地局で既に発生しているので、単に当該基地局のエア・インタフェースのＲＴＷＰを制限するだけでは当該基地局の輻輳現象を排除することができない。したがって、第１の制御ユニット１００４は、ＲＮＣにより上昇が制限されているターゲットＳＩＲを下方制御して、ＵＥのターゲットＳＩＲをさらに減らし、次いでＵＥの送信電力を減らすことにより、当該基地局のエア・インタフェースのＲＴＷＰを当該第１の輻輳閾値より小さい値に減らす必要がある。
【０１４９】
当該第１の通知ユニット１００５を、方法の実施形態５のステップ５０６を実行、即ち、第１の制御ユニット１００４により下方制御された当該ターゲットＳＩＲに基づいて、送信電力を減らすようにＵＥに通知するように構成してもよい
【０１５０】
ＳＩＲはＵＥがアップリンク・データを送信したときの送信電力対干渉信号比として定義される。特定のＵＥに対して、干渉信号の規模は大きくは変化せず、近似的に不変であるとみなしてもよい。基地局の下方制御を通じてターゲットＳＩＲを減らすときに、ＵＥの送信電力が減らされた場合にのみ、データをアップロードするためのＵＥの実際のＳＩＲをターゲットＳＩＲまで減らすことができ、ＵＥの送信電力を減らし基地局のエア・インタフェースのＲＴＷＰを減らすという目的が達成される。例えば、ＷＣＤＭＡ（登録商標）ネットワークでは、異なるキャリアが同一の周波数点を使用し、これが自己干渉現象を生じさせる。即ち、特定のＵＥに対して、別のＵＥの送信電力は当該ＵＥの干渉信号である。多数のＵＥがセル内に存在するので、或るＵＥに対して、別のＵＥにより生成された干渉信号はほぼ安定的である。したがって、当該ＵＥの実際のＳＩＲの値を、ＵＥの送信電力を減らすことによって減らすことができる。
【０１５１】
本発明の当該実施形態の適用シナリオにおいて、図１１に示すように１、当該装置はさらに第１の設定ユニット１１０１を備える。第１の設定ユニット１１０１を、方法の実施形態５のステップ６０１を実行、即ち、パケット交換ドメイン・サービスを実行しているＵＥを下方制御が優先的に実施されているＵＥとして設定するように構成してもよい。
【０１５２】
第１の設定ユニット１１０１をさらに、方法の実施形態５のステップ６０１を実行、即ち、当該基地局のエア・インタフェースのＲＴＷＰが当該第１の輻輳閾値を超過したかどうかを第１の判定ユニット１００１が判定する前に、データ送信を行っていないＵＥを下方制御が優先的に実施されているＵＥとして設定するように構成してもよい。
【０１５３】
第１の設定ユニット１１０１が、ＱｏＳに対する敏感度に従って下方制御が優先的に実施されているＵＥを設定してもよい。例えば、回線交換ドメインにおける音声サービスはＱｏＳに敏感であり、パケット交換ドメインのデータ・パケット・アップロード・サービスはＱｏＳに敏感でないので、パケット交換ドメイン・サービスを実行しているＵＥを下方制御が優先的に実施されているＵＥとして設定してもよい。音声サービスはＱｏＳに敏感であるので、ＵＥの過度に小さな送信電力により呼サービスの過渡的な停滞または呼切断ですら生じ、それにより多大な影響がユーザ・エクスペリエンスに及ぶ。データ・パケットをアップロードするサービスの送信電力が小さいときには、データ・パケットのアップロードの手続きにおいてアップロードの停滞現象も生ずるが、ユーザに対して過度に大規模な効用の減少は生じない。したがって、比較して述べると、一部のＵＥの送信電力を減らす必要があるときには、回線交換ドメイン・サービスを実行しているＵＥの送信電力を優先的に保護する必要があり、パケット交換ドメイン・サービスを実行しているＵＥの送信電力を優先的に下方制御してもよい。
【０１５４】
本発明の当該実施形態の適用シナリオにおいて、第１の設定ユニット１１０１がさらに、ＵＥがデータ送信を行っているかどうかに従って、下方制御が優先的に実施されているＵＥを設定してもよい。例えば、データ送信を行っていないＵＥを下方制御が優先的に実施されているＵＥとして設定してもよい。ネットワーク運用の観点からは、データ送信を行っていないＵＥの送信電力を維持することは基地局のエア・インタフェースの電力の無駄であり、ユーザの効用の観点からは、データ送信を行っているＵＥとデータ送信を行っていないＵＥにおいて、データ送信を行っているＵＥの送信電力を優先的に保証すべきであり、したがって比較して述べると、一部のＵＥの送信電力を減らす必要があるときには、データ送信を行っているＵＥの送信電力を優先的に保護する必要があり、データ送信を行っていないＵＥの送信電力を優先的に下方制御してもよい。
【０１５５】
本発明の当該実施形態の適用シナリオにおいて、第１の設定ユニット１１０１が、以上の２つの設定方式を組み合わせることによって、下方制御が優先的に実施されているＵＥを設定してもよい。例えば、データ送信を行っていないＵＥをさらにパケット交換ドメイン・サービスを実行しているＵＥから選択し、下方制御を当該ＵＥで優先的に実施する。さらに、電力下方制御手続きにおいて、データ送信を行っていないＵＥに対して、電力レベルが制御チャネルの送信品質を保証できる限りＵＥの送信電力を当該電力レベルに下方制御してもよい。以上の全てを、実際の動作環境の運用ポリシに従って運用者により設定、調節、および組み合せてもよく、本発明の当該実施形態で限定されるものではない。
【０１５６】
本発明の当該実施形態の適用シナリオにおいて、図１２に示すように、当該装置はさらに第２の設定ユニット１２０１を備える。第２の設定ユニット１２０１を、方法の実施形態５のステップ６０２を実行、即ち、第２の輻輳閾値を設定するように構成してもよい。
【０１５７】
当該第２の輻輳閾値は第１の輻輳閾値よりも小さい。第２の設定ユニット１２０１により第２の輻輳閾値を設定する目的は、当該基地局のエア・インタフェースのＲＴＷＰが当該第２の輻輳閾値に到達したが当該第１の輻輳閾値にはまだ到達していないときに、ＵＥの一部の送信電力を前もって下方制御して、当該基地局のエア・インタフェースのＲＴＷＰが当該第１の輻輳閾値に到達する前に、当該基地局のエア・インタフェースの電力圧力の一部を軽減することにある。当該ＵＥの一部は、第１の設定ユニット１１０１により設定された下方制御が優先的に実施されているＵＥである。
【０１５８】
第１の判定ユニット１００１をさらに、当該基地局のエア・インタフェースのＲＴＷＰが第２の設定ユニット１２０１により設定された第２の輻輳閾値を超過したかどうかを判定するように構成してもよい。
【０１５９】
本発明の当該実施形態の適用シナリオにおいて、当該基地局のエア・インタフェースのＲＴＷＰが当該第２の輻輳閾値を超過したときには、第１の受信ユニット１００３をさらに、方法の実施形態５のステップ６０３を実行、即ち、当該ＲＮＣにより送信された、下方制御が優先的に実施されているＵＥのターゲットＳＩＲを受信するように構成してもよく、第１の制御ユニット１００４をさらに、方法の実施形態５のステップ６０３を実行、即ち、当該ＲＮＣにより送信され第１の受信ユニット１００３により受信される、下方制御が優先的に実施されているＵＥの当該ターゲットＳＩＲを下方制御するように構成してもよく、第１の通知ユニット１００５をさらに、方法の実施形態５のステップ６０３を実行、即ち、第１の制御ユニット１００４により下方制御された当該ターゲットＳＩＲに基づいて、下方制御が優先的に実施されているＵＥに送信電力を減らすよう通知するように構成してもよい。
【０１６０】
本発明の当該実施形態の適用シナリオにおいて、図１３に示すように、当該装置はさらに第１の停止ユニット１３０１を備える。第１の停止ユニット１３０１を、アップリンク・パケット・スケジューリングを停止するように構成してもよい。
【０１６１】
回線交換ドメイン・サービスと比べて、パケット交換ドメイン・サービスのＱｏＳ感受性は低く、当該基地局のエア・インタフェースのＲＴＷＰが当該第１の輻輳閾値を超過したときには、第１の停止ユニット１３０１が、パケット交換ドメインが断続的に大量のデータ・パケットをアップロードするのを優先的に停止して、基地局のエア・インタフェースの電力圧力を軽減してもよい。例えば、ユーザの大量のデータ・パケットのアップロードを一時的に停止してもよく、ユーザ・プレーンの視点からは、サービス・データをアップロードするための送信時間が長い場合には、大量のデータ・パケットを短時間アップリンクで停止することにより追加された待機時間によりユーザの限界効用を縮小させる。当該縮小はユーザ・エクスペリエンスにさらなる影響は及ぼさない。
【０１６２】
本発明の当該実施形態の適用シナリオにおいて、第１の制御ユニット１００４をさらに、当該基地局のエア・インタフェースのＲＴＷＰが第１の輻輳閾値よりも小さいとき、当該ＲＮＣにより送信されたターゲットＳＩＲを上方制御するように構成してもよい。当該基地局のエア・インタフェースのＲＴＷＰが当該第１の輻輳閾値を超過したときには、上方制御した当該ターゲットＳＩＲは当該ＲＮＣにより送信されたターゲットＳＩＲより大きくない。
【０１６３】
当該基地局のエア・インタフェースのＲＴＷＰが当該第１の輻輳閾値より小さい値に低下したとき、第１の制御ユニット１００４が当該ＲＮＣにより送信されたターゲットＳＩＲを上方制御してもよい。ターゲットＳＩＲを上方制御する目的は、基地局のエア・インタフェースの電力圧力を軽減した後に、ターゲットＳＩＲを上方制御する方式でＵＥの送信電力を上方制御して、ＵＥがデータ・パケットを送信する成功率を改善することにある。第１の制御ユニット１００４は短いステップでターゲットＳＩＲを安定的に上方制御し、上方制御すべきターゲットＳＩＲが当該ＲＮＣにより送信され第１の受信ユニット１００３により受信されたターゲットＳＩＲを超過しないことを制限としてとり、それによりＵＥがデータ・パケットを送信する成功率を可能な限り改善し当該基地局のエア・インタフェースのＲＴＷＰが再び第１の輻輳閾値を超過しない場合にユーザ・サービスの品質を保証する。
【０１６４】
実際の適用では、本発明の当該実施形態における装置は、基地局（ＮｏｄｅＢ、ＮＢ）、発展型基地局（ｅｖｏｌｖｅｄ  Ｎｏｄｅ  Ｂ、ｅＮＢ）またはアクセス・ポイント（Ａｃｃｅｓｓ  Ｐｏｉｎｔ、ＡＰ）であってもよいがこれらに限られず、本発明の当該実施形態で限定されるものではない。
【０１６５】
本発明の当該実施形態で提供する電力制御装置では、ＵＥのターゲットＳＩＲの上昇を基地局のエア・インタフェースの電力輻輳の場合において制限することができ、既に過度に高い基地局のエア・インタフェースのＲＴＷＰ上のＵＥの送信電力がさらに上昇することで形成される輻輳圧力が回避される。一方、本発明の当該実施形態の適用シナリオにおいて、既に上昇が制限されているターゲットＳＩＲの値を下方制御して、ＵＥの送信電力を減らすことができる。基地局のエア・インタフェースの電力輻輳の問題が解決され、システムの状態が安定化し、端末ユーザとＱｏＳに敏感なユーザのサービス品質が保証される。
【０１６６】
さらに、本発明の当該実施形態の適用シナリオにおいて、本発明の当該実施形態で提供する電力制御装置はさらに、当該基地局のエア・インタフェースのＲＴＷＰが当該第１の輻輳閾値に到達する前に、ＱｏＳに敏感でないサービスを実行しているＵＥの一部および／またはセル内でデータ送信を実施していないＵＥの一部の送信電力を優先的に下方制御することができる。ユーザの効用に及ぼす影響が少ないＵＥは当該基地局のエア・インタフェースのＲＴＷＰの下方制御にさらに寄与し、ＱｏＳに敏感なサービスを実行しているＵＥの送信電力がさらに保証されるかまたは同時に増大され、当該基地局のエア・インタフェースのＲＴＷＰを減らす場合には、ＱｏＳに敏感なユーザのサービス品質が当該基地局のエア・インタフェースのＲＴＷＰの低下の影響を受けないことが保証される。
【０１６７】
実施形態９
以上の方法の実施形態の実装形態を参照すると、本発明の当該実施形態では電力制御装置を提供する。当該装置を以上の本発明の方法の実施形態を実装するように構成してもよい。図１４に示すように、当該装置は、第２の判定ユニット１４０１、第２の送信ユニット１４０２、第２の受信ユニット１４０３および第２の通知ユニット１４０４を備える。
【０１６８】
第２の判定ユニット１４０１を、方法の実施形態６のステップ８０２を実行、即ち、基地局のエア・インタフェースのＲＴＷＰが第１の輻輳閾値を超過したかどうかを判定するように構成してもよい。
【０１６９】
当該エア・インタフェースのＲＴＷＰは基地局に関連する全てのＵＥの送信電力の和である。当該エア・インタフェースのＲＴＷＰが当該第１の輻輳閾値を超過するときには、輻輳現象が当該基地局で発生しており、セルの状態は不安定で、端末ユーザのカバレッジ品質が低下する。音声サービスのようなＱｏＳに敏感なサービスでは特に、過渡的な呼停滞のような現象または音声遅延が容易に生じ、深刻な場合にはさらに呼切断現象が生じ、ユーザのサービス・エクスペリエンスに影響が生ずる。したがって、当該基地局のエア・インタフェースのＲＴＷＰが当該第１の輻輳閾値を超過したときには、当該基地局のエア・インタフェースのＲＴＷＰを制限する必要がある。
【０１７０】
第２の送信ユニット１４０２を、方法の実施形態６のステップ８０３を実行、即ち、当該当該基地局のエア・インタフェースのＲＴＷＰが当該第１の輻輳閾値を超過したと第２の判定ユニット１４０１が判定したときに、輻輳指示をＲＮＣに送信するように構成してもよい
【０１７１】
当該輻輳指示は当該ＲＮＣがターゲットＳＩＲの上方制御を禁じられていることを示すのに使用される。ＲＮＣが、ＵＥがデータをアップロードしたときのブロック・エラー率、ＨＡＲＱ送信率またはエア・インタフェース・パケット損失率に従ってＵＥのターゲットＳＩＲを調節してもよい。ブロック・エラー率を例としてとる。即ち、ＵＥがデータをアップロードしたときにブロック・エラー率が高い場合には、ＲＮＣがＵＥのターゲットＳＩＲを上方制御して、ＵＥの送信電力を増大させ、それによりブロック・エラー率を減らす。ＵＥがデータをアップロードしたときにブロック・エラー率が小さい場合には、アップリンク・データの送信電力を節約するために、ＲＮＣはＵＥのターゲットＳＩＲを下方制御して、ＵＥの送信電力を減らす。輻輳が基地局のエア・インタフェースで発生しているときには、ネットワークの全体的な安定性を保証するために、ＵＥがデータをアップロードしたときにブロック・エラー率が高い場合であっても、ＲＮＣはＵＥのターゲットＳＩＲを上方制御することはできず、それにより、基地局のエア・インタフェースのＲＴＷＰがさらに上昇しないことを保証する。
【０１７２】
第２の送信ユニット１４０２が輻輳指示をＲＮＣに送信した後に、ＲＮＣはＵＥのターゲットＳＩＲを上方制御することを禁じられるが、ＵＥがデータをアップロードしたときにブロック・エラー率が小さい場合には、ＲＮＣはＵＥのターゲットＳＩＲを下方制御してもよいことに留意されたい。ＵＥのターゲットＳＩＲの下方制御は当該基地局のエア・インタフェースのＲＴＷＰをさらには増大させず、実際には当該基地局のエア・インタフェースのＲＴＷＰをさらに減らし、したがって、ＲＮＣによるＵＥのターゲットＳＩＲの下方制御機能は限定されない。
【０１７３】
第２の受信ユニット１４０３を、方法の実施形態６のステップ８０４を実行、即ち、当該ＲＮＣにより送信されたターゲットＳＩＲを受信するように構成してもよい。
【０１７４】
当該基地局のエア・インタフェースのＲＴＷＰが当該第１の輻輳閾値を超過したときには、第２の送信ユニット１４０２は輻輳指示をＲＮＣに送信して、ＲＮＣがターゲットＳＩＲを上方制御するのを禁じられていることを示す。ターゲットＳＩＲを上方制御する必要がある場合には、ＲＮＣは第２の送信ユニット１４０２により送信された輻輳指示に従ってターゲットＳＩＲを上方制御せず、上方制御されていないターゲットＳＩＲを第２の受信ユニット１４０３に送信する。
【０１７５】
第２の通知ユニット１４０４を、方法の実施形態６のステップ８０５を実行、即ち、当該ＲＮＣにより送信され第２の受信ユニット１４０３により受信されるターゲットＳＩＲに従って、送信電力を制限するようにＵＥに通知するように構成してもよい。
【０１７６】
ＳＩＲはＵＥがアップリンク・データを送信したときの送信電力対干渉信号比として定義される。特定のＵＥに対して、干渉信号の規模は大きくは変化せず、近似的に不変であるとみなしてもよい。ＲＮＣにより制限されているときにターゲットＳＩＲを上方制御しない場合には、ＵＥの送信電力はさらには上昇せず、それによりＵＥの送信電力および当該基地局のエア・インタフェースのＲＴＷＰを制限するという目的が達成される。例えば、ＷＣＤＭＡ（登録商標）ネットワークでは、異なるキャリアが同一の周波数点を使用し、これが自己干渉現象を生じさせる。即ち、特定のＵＥに対して、別のＵＥの送信電力は当該ＵＥの干渉信号である。多数のＵＥがセル内に存在するので、或るＵＥに対して、別のＵＥにより生成された干渉信号はほぼ安定的である。したがって、当該ＵＥの実際のＳＩＲの値を、当該ＵＥの送信電力を制限することによって制限することができる。
【０１７７】
本発明の当該実施形態の適用シナリオにおいて、図１５に示すように、当該装置はさらに第２の制御ユニット１５０１を備える。第２の制御ユニット１５０１を、方法の実施形態５のステップ５０５を実行、即ち、当該ＲＮＣにより送信され第２の受信ユニット１４０３により受信されるターゲットＳＩＲを下方制御するように構成してもよい。
【０１７８】
第２の制御ユニット１５０１が、ＲＮＣにより上昇が制限されているターゲットＳＩＲを下方制御する。ＲＮＣがターゲットＳＩＲの上昇を制限することだけでは当該基地局のエア・インタフェースのＲＴＷＰがさらに上昇しないことを保証できないが、輻輳現象が基地局で既に発生しているので、単に当該基地局のエア・インタフェースのＲＴＷＰを制限するだけでは当該基地局の輻輳現象を排除することができない。したがって、第２の制御ユニット１５０１は、ＲＮＣにより上昇が制限されているターゲットＳＩＲを下方制御して、ＵＥのターゲットＳＩＲをさらに減らし、次いでＵＥの送信電力を減らすことにより、当該基地局のエア・インタフェースのＲＴＷＰを当該第１の輻輳閾値より小さい値に減らす必要がある。
【０１７９】
本発明の当該実施形態の適用シナリオにおいて、図１６に示すように、当該装置はさらに第３の設定ユニット１６０１を備える。第３の設定ユニット１６０１を、方法の実施形態５のステップ６０１を実行、即ち、パケット交換ドメイン・サービスを実行しているＵＥを下方制御が優先的に実施されているＵＥとして設定するように構成してもよい。
【０１８０】
第３の設定ユニット１６０１をさらに、方法の実施形態５のステップ６０１を実行、即ち、当該基地局のエア・インタフェースのＲＴＷＰが当該第１の輻輳閾値を超過したと第２の判定ユニット１４０１が判定する前に、データ送信を行っていないＵＥを下方制御が優先的に実施されているＵＥとして設定するように構成してもよい。
【０１８１】
第３の設定ユニット１６０１を、ＱｏＳに対する敏感度に従って下方制御が優先的に実施されているＵＥを設定してもよい。例えば、回線交換ドメインにおける音声サービスはＱｏＳに敏感であり、パケット交換ドメインのデータ・パケット・アップロード・サービスはＱｏＳに敏感でないので、パケット交換ドメイン・サービスを実行しているＵＥを下方制御が優先的に実施されているＵＥとして設定してもよい。音声サービスはＱｏＳに敏感であるので、ＵＥの過度に小さな送信電力により呼サービスの過渡的な停滞または呼切断ですら生じ、それにより多大な影響がユーザ・エクスペリエンスに及ぶ。データ・パケットをアップロードするサービスの送信電力が小さいときには、データ・パケットのアップロードの手続きにおいてアップロードの停滞現象も生ずるが、ユーザに対して過度に大規模な効用の減少は生じない。したがって、比較して述べると、一部のＵＥの送信電力を減らす必要があるときには、回線交換ドメイン・サービスを実行しているＵＥの送信電力を優先的に保護する必要があり、パケット交換ドメイン・サービスを実行しているＵＥの送信電力を優先的に下方制御してもよい。
【０１８２】
本発明の当該実施形態の適用シナリオにおいて、第３の設定ユニット１６０１がさらに、ＵＥがデータ送信を行っているかどうかに従って、下方制御が優先的に実施されているＵＥを設定してもよい。例えば、データ送信を行っていないＵＥを下方制御が優先的に実施されているＵＥとして設定してもよい。ネットワーク運用の観点からは、データ送信を行っていないＵＥの送信電力を維持することは基地局のエア・インタフェースの電力の無駄であり、ユーザの効用の観点からは、データ送信を行っているＵＥとデータ送信を行っていないＵＥにおいて、データ送信を行っているＵＥの送信電力を優先的に保証すべきであり、したがって比較して述べると、一部のＵＥの送信電力を減らす必要があるときには、データ送信を行っているＵＥの送信電力を優先的に保護する必要があり、データ送信を行っていないＵＥの送信電力を優先的に下方制御してもよい。
【０１８３】
本発明の当該実施形態の適用シナリオにおいて、第３の設定ユニット１６０１が、以上の２つの設定方式を組み合わせることによって、下方制御が優先的に実施されているＵＥを設定してもよい。例えば、データ送信を行っていないＵＥをさらにパケット交換ドメイン・サービスを実行しているＵＥから選択し、下方制御を当該ＵＥで優先的に実施する。さらに、電力下方制御手続きにおいて、データ送信を行っていないＵＥに対して、電力レベルが制御チャネルの送信品質を保証できる限りＵＥの送信電力を当該電力レベルに下方制御してもよい。以上の全てを、実際の動作環境の運用ポリシに従って運用者により設定、調節、および組み合せてもよく、本発明の当該実施形態で限定されるものではない。
【０１８４】
本発明の当該実施形態の適用シナリオにおいて、図１７に示すように、当該装置はさらに第４の設定ユニット１７０１を備える。第４の設定ユニット１７０１を、方法の実施形態５のステップ６０２を実行、即ち、第２の輻輳閾値を設定するように構成してもよい。
【０１８５】
当該第２の輻輳閾値は第１の輻輳閾値よりも小さい。第４の設定ユニット１７０１によって第２の輻輳閾値を設定する目的は、当該基地局のエア・インタフェースのＲＴＷＰが当該第２の輻輳閾値に到達したが当該第１の輻輳閾値にはまだ到達していないときに、ＵＥの一部の送信電力を前もって下方制御して、当該基地局のエア・インタフェースのＲＴＷＰが当該第１の輻輳閾値に到達する前に、当該基地局のエア・インタフェースの電力圧力の一部を軽減することにある。当該ＵＥの一部は、第３の設定ユニット１６０１により設定された下方制御が優先的に実施されているＵＥである。
【０１８６】
第２の判定ユニット１４０１をさらに、当該基地局のエア・インタフェースのＲＴＷＰが第４の設定ユニット１７０１により設定された第２の輻輳閾値を超過したかどうかを判定するように構成してもよい。
【０１８７】
本発明の当該実施形態の適用シナリオにおいて、当該基地局のエア・インタフェースのＲＴＷＰが当該第２の輻輳閾値を超過したときには、第２の受信ユニット１４０３をさらに、方法の実施形態５のステップ６０３を実行、即ち、当該ＲＮＣにより送信された、下方制御が優先的に実施されているＵＥのターゲットＳＩＲを受信するように構成してもよく、第２の制御ユニット１５０１をさらに、方法の実施形態５のステップ６０３を実行、即ち、当該ＲＮＣにより送信され当該第２の受信ユニット１４０３により受信された、下方制御が優先的に実施されているＵＥの当該ターゲットＳＩＲを下方制御するように構成してもよく、第２の通知ユニット１４０４をさらに、方法の実施形態５のステップ６０３を実行、即ち、第２の制御ユニット１５０１により下方制御された当該ターゲットＳＩＲに基づいて、下方制御が優先的に実施されている当該ＵＥに送信電力を減らすよう通知するように構成してもよい。
【０１８８】
本発明の当該実施形態の適用シナリオにおいて、図１８に示すように、当該装置はさらに第２の停止ユニット１８０１を備える。第２の停止ユニット１８０１を、アップリンク・パケット・スケジューリングを停止するように構成してもよい。
【０１８９】
回線交換ドメイン・サービスと比べて、パケット交換ドメイン・サービスのＱｏＳ感受性は低く、当該基地局のエア・インタフェースのＲＴＷＰが当該第１の輻輳閾値を超過したときには、第２の停止ユニット１８０１が、パケット交換ドメインが断続的に大量のデータ・パケットをアップロードするのを優先的に停止して、基地局のエア・インタフェースの電力圧力を軽減してもよい。例えば、ユーザの大量のデータ・パケットのアップロードを一時的に停止してもよく、ユーザ・プレーンの視点からは、サービス・データをアップロードするための送信時間が長い場合には、大量のデータ・パケットを短時間アップリンクで停止することにより追加された待機時間によりユーザの限界効用を縮小させる。当該縮小はユーザ・エクスペリエンスにさらなる影響は及ぼさない。
【０１９０】
本発明の当該実施形態の適用シナリオにおいて、第２の制御ユニット１５０１をさらに、当該基地局のエア・インタフェースのＲＴＷＰが第１の輻輳閾値よりも小さいとき、当該ＲＮＣにより送信されたターゲットＳＩＲを上方制御するように構成してもよい。当該基地局のエア・インタフェースのＲＴＷＰが当該第１の輻輳閾値に等しいときには、上方制御した当該ターゲットＳＩＲは当該ＲＮＣにより送信されたターゲットＳＩＲより大きくない。
【０１９１】
当該基地局のエア・インタフェースのＲＴＷＰが当該第１の輻輳閾値より小さい値に低下したとき、第２の制御ユニット１５０１が当該ＲＮＣにより送信されたターゲットＳＩＲを上方制御してもよい。ターゲットＳＩＲを上方制御する目的は、基地局のエア・インタフェースの電力圧力を軽減した後に、ターゲットＳＩＲを上方制御する方式でＵＥの送信電力を上方制御して、ＵＥがデータ・パケットを送信する成功率を改善することにある。第２の制御ユニット１５０１が短いステップでターゲットＳＩＲを安定的に上方制御し、上方制御すべきターゲットＳＩＲが、当該ＲＮＣにより送信され第２の受信ユニット１４０３により受信されるターゲットＳＩＲを超過しないことを制限としてとり、それによりＵＥがデータ・パケットを送信する成功率を可能な限り改善し当該基地局のエア・インタフェースのＲＴＷＰが再び第１の輻輳閾値を超過しない場合にユーザ・サービスの品質を保証する。
【０１９２】
実際の適用では、本発明の当該実施形態における装置は、基地局（Ｎｏｄｅ  Ｂ、ＮＢ）、発展型基地局（ｅｖｏｌｖｅｄ  Ｎｏｄｅ  Ｂ、ｅＮＢ）またはアクセス・ポイント（Ａｃｃｅｓｓ  Ｐｏｉｎｔ、ＡＰ）であってもよいがこれらに限られず、本発明の当該実施形態で限定されるものではない。
【０１９３】
本発明の当該実施形態で提供する電力制御装置では、ＵＥのターゲットＳＩＲの上昇を基地局のエア・インタフェースの電力輻輳の場合において制限することができ、既に過度に高い基地局のエア・インタフェースのＲＴＷＰ上のＵＥの送信電力がさらに上昇することで形成される輻輳圧力が回避される。
【０１９４】
さらに、本発明の当該実施形態の適用シナリオにおいて、既に上昇が制限されているターゲットＳＩＲの値を下方制御して、ＵＥの送信電力を減らすことができる。基地局のエア・インタフェースの電力輻輳の問題が解決され、システムの状態が安定化し、端末ユーザとＱｏＳに敏感なユーザのサービス品質が保証される。
【０１９５】
さらに、本発明の当該実施形態の適用シナリオにおいて、当該基地局のエア・インタフェースのＲＴＷＰが当該第１の輻輳閾値に到達する前に、ＱｏＳに敏感でないサービスを実行しているＵＥの一部および／またはセル内でデータ送信を実施していないＵＥの一部の送信電力をさらに優先的に下方制御することができる。ユーザの効用に及ぼす影響が少ないＵＥは当該基地局のエア・インタフェースのＲＴＷＰの下方制御にさらに寄与し、ＱｏＳに敏感なサービスを実行しているＵＥの送信電力がさらに保証されるかまたは同時に増大され、当該基地局のエア・インタフェースのＲＴＷＰを減らす場合には、ＱｏＳに敏感なユーザのサービス品質が当該基地局のエア・インタフェースのＲＴＷＰの下方制御によって影響されないことが保証される。
【０１９６】
さらに、本発明の当該実施形態の適用シナリオにおいて、異常保護をさらにＲＮＣに対して設定することができ、当該基地局のエア・インタフェースのＲＴＷＰが第１の輻輳閾値を超過しないことが保証され、同時にデータ・パケット送信成功率をさらに考慮することができる。
【０１９７】
実施形態１０
以上の方法の実施形態の実装形態を参照すると、本発明の当該実施形態では電力制御装置を提供する。当該装置を以上の本発明の方法の実施形態を実装するように構成してもよい。図１９に示すように、当該装置は、第３の判定ユニット１９０１、第３の受信ユニット１９０２、第３の制御ユニット１９０３および第３の通知ユニット１９０４を備える。
【０１９８】
第３の判定ユニット１９０１を、方法の実施形態７のステップ９０３を実行、即ち、基地局のエア・インタフェースのＲＴＷＰが第１の輻輳閾値を超過したかどうかを判定するように構成してもよい。
【０１９９】
当該エア・インタフェースのＲＴＷＰは基地局に関連する全てのＵＥの送信電力の和である。当該エア・インタフェースのＲＴＷＰが当該第１の輻輳閾値を超過するときには、輻輳現象が当該基地局で発生しており、セルの状態は不安定で、端末ユーザのカバレッジ品質が低下する。音声サービスのようなＱｏＳに敏感なサービスでは特に、過渡的な呼停滞のような現象または音声遅延が容易に生じ、深刻な場合にはさらに呼切断現象が生じ、ユーザのサービス・エクスペリエンスに影響が生ずる。したがって、当該基地局のエア・インタフェースのＲＴＷＰが当該第１の輻輳閾値を超過したときには、当該基地局のエア・インタフェースのＲＴＷＰを制限する必要がある。
【０２００】
３の受信ユニット１９０２を、方法の実施形態７のステップ９０１を実行、即ち、ＲＮＣにより送信されたターゲットＳＩＲを受信するように構成してもよい。
【０２０１】
第３の制御ユニット１９０３を、方法の実施形態７のステップ９０４を実行、即ち、当該ＲＮＣにより送信され第３の受信ユニット１９０２により受信されるターゲットＳＩＲを下方制御するように構成してもよい。
【０２０２】
第３の制御ユニット１９０３が、ＲＮＣにより送信されたターゲットＳＩＲを下方制御し、ＵＥのターゲットＳＩＲを減らし、さらにＵＥの送信電力を減らすことにより、当該基地局のエア・インタフェースのＲＴＷＰを当該第１の輻輳閾値より小さい値に減らす。
【０２０３】
第３の通知ユニット１９０４を、方法の実施形態７のステップ９０５を実行、即ち、第３の制御ユニットにより下方制御された当該ターゲットＳＩＲ１９０３に従って、送信電力を下方制御するようにＵＥに通知するように構成してもよい。
【０２０４】
ＳＩＲはＵＥがアップリンク・データを送信したときの送信電力対干渉信号比として定義される。特定のＵＥに対して、干渉信号の規模は大きくは変化せず、近似的に不変であるとみなしてもよい。ターゲットＳＩＲがＲＮＣにより下方制御されたときには、ＵＥの送信電力も低下し、それにより、ＵＥの送信電力と当該基地局のエア・インタフェースのＲＴＷＰを下方制御する目的が達成される。例えば、ＷＣＤＭＡ（登録商標）ネットワークでは、異なるキャリアが同一の周波数点を使用し、これが自己干渉現象を生じさせる。即ち、特定のＵＥに対して、別のＵＥの送信電力は当該ＵＥの干渉信号である。多数のＵＥがセル内に存在するので、或るＵＥに対して、別のＵＥにより生成された干渉信号はほぼ安定的である。したがって、当該ＵＥの実際のＳＩＲの値を、当該ＵＥの送信電力を制限することによって制限することができる。
【０２０５】
本発明の当該実施形態の適用シナリオにおいて、図２０に示すように、当該装置はさらに第３の送信ユニット２００１を備える。第３の送信ユニット２００１を、当該基地局のエア・インタフェースのＲＴＷＰが当該第１の輻輳閾値を超過したときには、輻輳指示を当該ＲＮＣに送信するように構成してもよい。
【０２０６】
当該輻輳指示は当該ＲＮＣがターゲットＳＩＲの上方制御を禁じられていることを示すのに使用される。ＲＮＣが、ＵＥがデータをアップロードしたときのブロック・エラー率、ＨＡＲＱ送信率またはエア・インタフェース・パケット損失率に従ってＵＥのターゲットＳＩＲを調節してもよい。ブロック・エラー率を例としてとる。即ち、ＵＥがデータをアップロードしたときにブロック・エラー率が高い場合には、ＲＮＣがＵＥのターゲットＳＩＲを上方制御して、ＵＥの送信電力を増大させ、それによりブロック・エラー率を減らす。ＵＥがデータをアップロードしたときにブロック・エラー率が小さい場合には、アップリンク・データの送信電力を節約するために、ＲＮＣはＵＥのターゲットＳＩＲを下方制御して、ＵＥの送信電力を減らす。輻輳が基地局のエア・インタフェースで発生しているときには、ネットワークの全体的な安定性を保証するために、ＵＥがデータをアップロードしたときにブロック・エラー率が高い場合であっても、ＲＮＣはＵＥのターゲットＳＩＲを上方制御することはできず、それにより、基地局のエア・インタフェースのＲＴＷＰがさらに上昇しないことを保証する。
【０２０７】
第３の送信ユニット２００１が輻輳指示をＲＮＣに送信した後に、ＲＮＣはＵＥのターゲットＳＩＲを上方制御することを禁じられるが、ＵＥがデータをアップロードしたときにブロック・エラー率が小さい場合には、ＲＮＣはＵＥのターゲットＳＩＲを下方制御してもよいことに留意されたい。ＵＥのターゲットＳＩＲの下方制御は当該基地局のエア・インタフェースのＲＴＷＰをさらには増大させず、実際には当該基地局のエア・インタフェースのＲＴＷＰをさらに減らし、したがって、ＲＮＣによるＵＥのターゲットＳＩＲの下方制御機能は限定されない。
【０２０８】
本発明の当該実施形態の適用シナリオにおいて、第３の受信ユニット１９０２をさらに、ＲＮＣにより上昇が制限されているターゲットＳＩＲを受信するように構成してもよい。第３の送信ユニット２００１により送信された輻輳指示を受信した後に、ＲＮＣがさらにターゲットＳＩＲの上昇を制限し、上昇が制限されたターゲットＳＩＲを第３の受信ユニット１９０２に送信する。
【０２０９】
本発明の当該実施形態の適用シナリオにおいて、図２１に示すように、当該装置はさらに第５の設定ユニット２１０１を備える。第５の設定ユニット２１０１を、方法の実施形態５のステップ６０１を実行、即ち、パケット交換ドメイン・サービスを実行しているＵＥを下方制御が優先的に実施されているＵＥとして設定するように構成してもよい。
【０２１０】
第５の設定ユニット２１０１をさらに、方法の実施形態５のステップ６０１を実行、即ち、当該基地局のエア・インタフェースのＲＴＷＰが当該第１の輻輳閾値を超過したと第３の判定ユニット１９０１が判定する前に、データ送信を行っていないＵＥを下方制御が優先的に実施されているＵＥとして設定するように構成してもよい。
【０２１１】
第５の設定ユニット２１０１は、ＱｏＳに対する敏感度に従って下方制御が優先的に実施されているＵＥを設定してもよい。例えば、回線交換ドメインにおける音声サービスはＱｏＳに敏感であり、パケット交換ドメインのデータ・パケット・アップロード・サービスはＱｏＳに敏感でないので、パケット交換ドメイン・サービスを実行しているＵＥを下方制御が優先的に実施されているＵＥとして設定してもよい。音声サービスはＱｏＳに敏感であるので、ＵＥの過度に小さな送信電力により呼サービスの過渡的な停滞または呼切断ですら生じ、それにより多大な影響がユーザ・エクスペリエンスに及ぶ。データ・パケットをアップロードするサービスの送信電力が小さいときには、データ・パケットのアップロードの手続きにおいてアップロードの停滞現象も生ずるが、ユーザに対して過度に大規模な効用の減少は生じない。したがって、比較して述べると、一部のＵＥの送信電力を減らす必要があるときには、回線交換ドメイン・サービスを実行しているＵＥの送信電力を優先的に保護する必要があり、パケット交換ドメイン・サービスを実行しているＵＥの送信電力を優先的に下方制御してもよい。
【０２１２】
本発明の当該実施形態の適用シナリオにおいて、第５の設定ユニット２１０１がさらに、ＵＥがデータ送信を行っているかどうかに従って、下方制御が優先的に実施されているＵＥを設定してもよい。例えば、データ送信を行っていないＵＥを下方制御が優先的に実施されているＵＥとして設定してもよい。ネットワーク運用の観点からは、データ送信を行っていないＵＥの送信電力を維持することは基地局のエア・インタフェースの電力の無駄であり、ユーザの効用の観点からは、データ送信を行っているＵＥとデータ送信を行っていないＵＥにおいて、データ送信を行っているＵＥの送信電力を優先的に保証すべきであり、したがって比較して述べると、一部のＵＥの送信電力を減らす必要があるときには、データ送信を行っているＵＥの送信電力を優先的に保護する必要があり、データ送信を行っていないＵＥの送信電力を優先的に下方制御してもよい。
【０２１３】
本発明の当該実施形態の適用シナリオにおいて、第５の設定ユニット２１０１が、以上の２つの設定方式を組み合わせることによって、下方制御が優先的に実施されているＵＥを設定してもよい。例えば、データ送信を行っていないＵＥをさらにパケット交換ドメイン・サービスを実行しているＵＥから選択し、下方制御を当該ＵＥで優先的に実施する。さらに、電力下方制御手続きにおいて、データ送信を行っていないＵＥに対して、電力レベルが制御チャネルの送信品質を保証できる限りＵＥの送信電力を当該電力レベルに下方制御してもよい。以上の全てを、実際の動作環境の運用ポリシに従って運用者により設定、調節、および組み合せてもよく、本発明の当該実施形態で限定されるものではない。
【０２１４】
本発明の当該実施形態の適用シナリオにおいて、図２２に示すように、当該装置はさらに第６の設定ユニット２２０１を備える。第６の設定ユニット２２０１を、方法の実施形態５ステップ６０２を実行、即ち、第２の輻輳閾値を設定するように構成してもよい。
【０２１５】
当該第２の輻輳閾値は第１の輻輳閾値よりも小さい。第６の設定ユニット２２０１により第２の輻輳閾値を設定する目的は、当該基地局のエア・インタフェースのＲＴＷＰが当該第２の輻輳閾値に到達したが当該第１の輻輳閾値にはまだ到達していないときに、ＵＥの一部の送信電力を前もって下方制御して、当該基地局のエア・インタフェースのＲＴＷＰが当該第１の輻輳閾値に到達する前に、当該基地局のエア・インタフェースの電力圧力の一部を軽減することにある。当該ＵＥの一部は、第５の設定ユニット２１０１により設定された下方制御が優先的に実施されているＵＥである。
【０２１６】
第３の判定ユニット１９０１をさらに、方法の実施形態５のステップ６０２を実行、即ち、当該基地局のエア・インタフェースのＲＴＷＰが第６の設定ユニット２２０１により設定された第２の輻輳閾値を超過したかどうかを判定するように構成してもよい。
【０２１７】
本発明の当該実施形態の適用シナリオにおいて、当該基地局のエア・インタフェースのＲＴＷＰが当該第２の輻輳閾値を超過したときには、第３の受信ユニット１９０２をさらに、方法の実施形態５のステップ６０３を実行、即ち、当該ＲＮＣにより送信された、下方制御が優先的に実施されているＵＥのターゲットＳＩＲを受信するように構成してもよく、第３の制御ユニット１９０３をさらに、方法の実施形態５のステップ６０３を実行、即ち、当該ＲＮＣにより送信され第３の受信ユニット１９０２により受信される、下方制御が優先的に実施されているＵＥの当該ターゲットＳＩＲを下方制御するように構成してもよく、第３の通知ユニット１９０４をさらに、方法の実施形態５のステップ６０３を実行、即ち、第３の制御ユニット１９０３により下方制御された当該ターゲットＳＩＲに基づいて、下方制御が優先的に実施されている当該ＵＥに送信電力を減らすように通知するように構成してもよい。
【０２１８】
本発明の当該実施形態の適用シナリオにおいて、図２３に示すように、当該装置はさらに第３の停止ユニット２３０１を備える。第３の停止ユニット２３０１を、アップリンク・パケット・スケジューリングを停止するように構成してもよい。
【０２１９】
回線交換ドメイン・サービスと比べて、パケット交換ドメイン・サービスのＱｏＳ感受性は低く、当該基地局のエア・インタフェースのＲＴＷＰが当該第１の輻輳閾値を超過したときには、第３の停止ユニット２３０１が、パケット交換ドメインが断続的に大量のデータ・パケットをアップロードするのを優先的に停止して、基地局のエア・インタフェースの電力圧力を軽減してもよい。例えば、ユーザの大量のデータ・パケットのアップロードを一時的に停止してもよく、ユーザ・プレーンの視点からは、サービス・データをアップロードするための送信時間が長い場合には、大量のデータ・パケットを短時間アップリンクで停止することにより追加された待機時間によりユーザの限界効用を縮小させる。当該縮小はユーザ・エクスペリエンスにさらなる影響は及ぼさない。
【０２２０】
本発明の当該実施形態の適用シナリオにおいて、第３の制御ユニット１９０３をさらに、当該基地局のエア・インタフェースのＲＴＷＰが第１の輻輳閾値よりも小さいとき、当該ＲＮＣにより送信されたターゲットＳＩＲを上方制御するように構成してもよい。当該基地局のエア・インタフェースのＲＴＷＰが当該第１の輻輳閾値を超過したときには、上方制御した当該ターゲットＳＩＲは当該ＲＮＣにより送信されたターゲットＳＩＲより大きくない。
【０２２１】
当該基地局のエア・インタフェースのＲＴＷＰが当該第１の輻輳閾値より小さい値に低下したとき、第３の制御ユニット１９０３が当該ＲＮＣにより送信されたターゲットＳＩＲを上方制御してもよい。ターゲットＳＩＲを上方制御する目的は、基地局のエア・インタフェースの電力圧力を軽減した後に、ターゲットＳＩＲを上方制御する方式でＵＥの送信電力を上方制御して、ＵＥがデータ・パケットを送信する成功率を改善することにある。第３の制御ユニット１９０３が短いステップでターゲットＳＩＲを安定的に上方制御する、上方制御すべきターゲットＳＩＲが、当該ＲＮＣにより送信され第３の受信ユニット１９０２により受信されるターゲットＳＩＲを超過しないことを制限としてとり、それによりＵＥがデータ・パケットを送信する成功率を可能な限り改善し当該基地局のエア・インタフェースのＲＴＷＰが再び第１の輻輳閾値を超過しない場合にユーザ・サービスの品質を保証する。
【０２２２】
実際の適用では、本発明の当該実施形態における装置は、基地局（Ｎｏｄｅ  Ｂ、ＮＢ）、発展型基地局（ｅｖｏｌｖｅｄ  Ｎｏｄｅ  Ｂ、ｅＮＢ）またはアクセス・ポイント（Ａｃｃｅｓｓ  Ｐｏｉｎｔ、ＡＰ）であってもよいがこれらに限られず、本発明の当該実施形態で限定されるものではない。
【０２２３】
本発明の当該実施形態で提供する電力制御装置は、当該ＲＮＣにより送信されたターゲットＳＩＲの値を下方制御して、ＵＥの送信電力を減らすことができる。基地局のエア・インタフェースの電力輻輳の問題が解決され、システムの状態が安定化し、端末ユーザとＱｏＳに敏感なユーザのサービス品質が保証される。
【０２２４】
さらに、本発明の当該実施形態の適用シナリオにおいて、ＵＥのターゲットＳＩＲの上昇を基地局のエア・インタフェースの電力輻輳の場合において制限することができ、既に過度に高い基地局のエア・インタフェースのＲＴＷＰ上のＵＥの送信電力がさらに上昇することで形成される輻輳圧力が回避される。
【０２２５】
さらに、本発明の当該実施形態の適用シナリオにおいて、当該基地局のエア・インタフェースのＲＴＷＰが当該第１の輻輳閾値に到達する前に、ＱｏＳに敏感でないサービスを実行しているＵＥの一部および／またはセル内でデータ送信を実施していないＵＥの一部の送信電力をさらに優先的に下方制御することができる。ユーザの効用に及ぼす影響が少ないＵＥは当該基地局のエア・インタフェースのＲＴＷＰの下方制御にさらに寄与し、ＱｏＳに敏感なサービスを実行しているＵＥの送信電力がさらに保証されるかまたは同時に増大され、当該基地局のエア・インタフェースのＲＴＷＰを減らす場合には、ＱｏＳに敏感なユーザのサービス品質が当該基地局のエア・インタフェースのＲＴＷＰの下方制御によって影響されないことが保証される。
【０２２６】
さらに、本発明の当該実施形態の適用シナリオにおいて、異常保護をさらにＲＮＣに対して設定することができ、当該基地局のエア・インタフェースのＲＴＷＰが第１の輻輳閾値を超過しないことが保証され、同時にデータ・パケット送信成功率をさらに考慮することができる。
【０２２７】
実施形態１１
以上の方法の実施形態の実装形態を参照すると、本発明の当該実施形態では電力制御装置を提供する。当該装置を以上の本発明の方法の実施形態を実装するように構成してもよい。図２４に示すように、当該装置は、第４の受信ユニット２４０１、処理ユニット２４０２および第４の送信ユニット２４０３を備える。
【０２２８】
第４の受信ユニット２４０１を、方法の実施形態４のステップ４０１を実行、即ち、基地局のエア・インタフェースのＲＴＷＰが第１の輻輳閾値を超過したと当該基地局が判定したときに、当該基地局により送信された輻輳指示を受信するように構成してもよい。
【０２２９】
当該輻輳指示は、ＲＮＣがターゲットＳＩＲを上方制御するのを禁じられていることを示すのに使用される。ＲＮＣが、ＵＥがデータをアップロードしたときのブロック・エラー率、ＨＡＲＱ送信率またはエア・インタフェース・パケット損失率に従ってＵＥのターゲットＳＩＲを調節してもよい。ブロック・エラー率を例としてとる。即ち、ＵＥがデータをアップロードしたときにブロック・エラー率が高い場合には、ＲＮＣがＵＥのターゲットＳＩＲを上方制御して、ＵＥの送信電力を増大させ、それによりブロック・エラー率を減らす。ＵＥがデータをアップロードしたときにブロック・エラー率が小さい場合には、アップリンク・データの送信電力を節約するために、ＲＮＣはＵＥのターゲットＳＩＲを下方制御して、ＵＥの送信電力を減らす。輻輳が基地局のエア・インタフェースで発生しているときには、ネットワークの全体的な安定性を保証するために、ＵＥがデータをアップロードしたときにブロック・エラー率が高い場合であっても、ＲＮＣはＵＥのターゲットＳＩＲを上方制御することはできず、それにより、基地局のエア・インタフェースのＲＴＷＰがさらに上昇しないことを保証する。
【０２３０】
処理ユニット２４０２を、方法の実施形態４のステップ４０２を実行、即ち、第４の受信ユニット２４０１により受信された当該輻輳指示に従って、当該ターゲットＳＩＲの上方制御を禁止するように構成してもよい
【０２３１】
基地局が輻輳指示をＲＮＣに送信した後に、処理ユニット２４０２はＲＮＣがＵＥのターゲットＳＩＲを上方制御するのを禁止するが、ＵＥがデータをアップロードしたときにブロック・エラー率が小さい場合には、処理ユニット２４０２はＲＮＣがＵＥのターゲットＳＩＲを下方制御するのを可能とする。ＵＥのターゲットＳＩＲの下方制御は当該基地局のエア・インタフェースのＲＴＷＰをさらには増大させず、実際には当該基地局のエア・インタフェースのＲＴＷＰをさらに減らし、ＵＥのターゲットＳＩＲを下方制御する機能は限定されない。
【０２３２】
第４の送信ユニット２４０３を、方法の実施形態４のステップ４０３を実行、即ち、処理ユニット２４０２により処理されたターゲットＳＩＲを基地局に送信するように構成してもよい。
【０２３３】
本発明の当該実施形態の適用シナリオにおいて、処理ユニット２４０２は当該ターゲットＳＩＲの上方制御の禁止を解禁するするようにさらに構成される。基地局のエア・インタフェースが第１の輻輳閾値に到達した後に、処理ユニット２４０２はＲＮＣがターゲットＳＩＲを上方制御するのを禁止する。或る期間において、第４の受信ユニット２４０１が当該基地局により再送された輻輳指示を受信しなかった場合には、処理ユニット２４０２は、ＲＮＣがターゲットＳＩＲを上方制御するのを禁止するという制限を自動的に削除し、ＲＮＣは、ＵＥがデータをアップロードしたときのブロック・エラー率、ＨＡＲＱ送信率またはエア・インタフェース・パケット損失率に従ってＵＥのターゲットＳＩＲを上方制御または下方制御することができる。当該期間は、実際の動作環境に従って運用者により設定された禁止解禁期間である。ＲＮＣがターゲットＳＩＲを上方制御するのを処理ユニット２４０２により禁ずる機能により、当該基地局のエア・インタフェースのＲＴＷＰのさらなる上昇を制限してもよいが、この制限にはデータ・パケットの送信成功率を減らすという代償が伴う。動作手続きでは、当該基地局のエア・インタフェースのＲＴＷＰが第１の輻輳閾値を超過しないことを保証するのと同時に、データ・パケット送信成功率をさらに考慮する必要があり、したがってＲＮＣを異常から保護する必要がある。
【０２３４】
本発明の当該実施形態の適用シナリオにおいて、上昇が制限されＲＮＣにより送信されたターゲットＳＩＲを受信した後に、基地局は上昇が制限されたターゲットＳＩＲをさらに下方制御し、下方制御されたＳＩＲに従って、送信電力を減らすようにＵＥに通知してもよい。それにより、基地局のエア・インタフェースの電力圧力を制御するという目的が達成される。
【０２３５】
実際の適用では、本発明の当該実施形態における装置が無線ネットワーク・コントローラ（Ｒａｄｉｏ  Ｎｅｔｗｏｒｋ  Ｃｏｎｔｒｏｌｌｅｒ、ＲＮＣ）、または、無線ネットワーク・コントローラで必要な機能を有する物理装置もしくは論理装置であってもよく、無線ネットワーク・コントローラは本発明の当該実施形態における装置を限定しない。
【０２３６】
本発明の当該実施形態で提供する電力制御装置では、ＵＥのターゲットＳＩＲの上昇を基地局のエア・インタフェースの電力輻輳の場合において制限することができ、既に過度に高い基地局のエア・インタフェースのＲＴＷＰ上のＵＥの送信電力がさらに上昇することで形成される輻輳圧力が回避される。一方、本発明の当該実施形態の適用シナリオにおいて、既に上昇が制限されているターゲットＳＩＲの値を下方制御して、ＵＥの送信電力を減らすことができる。基地局のエア・インタフェースの電力輻輳の問題が解決され、システムの状態が安定化し、端末ユーザとＱｏＳに敏感なユーザのサービス品質が保証される。
【０２３７】
さらに、本発明の当該実施形態の適用シナリオにおいて、本発明の当該実施形態で提供する電力制御装置は、ＲＮＣに対する異常保護を設定することができ、当該基地局のエア・インタフェースのＲＴＷＰが第１の輻輳閾値を超過しないことが保証され、さらにデータ・パケット送信成功率が同時に考慮される。
【０２３８】
種々の実装方式を以上で説明したが、本発明をソフトウェアと必要な汎用ハードウェアで実装してもよく、明らかに、ハードウェアで実装してもよいが、多くの場合は前者が好適な実装方式であることは当業者には明確に理解される。かかる理解のもとに、原則として、本発明の技術的解決策または先行技術に寄与する部分をソフトウェア製品の形で具体化してもよい。当該コンピュータ・ソフトウェア製品は読取可能記憶媒体、例えば、コンピュータのフロッピ・ディスク、ハード・ディスク、または光ディスクに格納され、本発明の諸実施形態で説明した方法を実施するようにコンピュータ装置（パーソナル・コンピュータ、サーバ、またはネットワーク装置等であってもよい）に指示する幾つかの命令を含む。
【０２３９】
以上の説明は本発明の具体的な実装方式にすぎず、本発明の保護範囲を限定しようとするものではない。本発明で開示した技術的範囲における当業者に容易想到な任意の変形または置換えは本発明の保護範囲に入るものとする。したがって、本発明の保護範囲は特許請求の範囲の保護範囲により支配される。
【符号の説明】
【０２４０】
１００１  第１の判定ユニット
１００２  第１の送信ユニット
１００３  第１の受信ユニット
１００４  第１の制御ユニット
１００５  第１の通知ユニット
１１０１  第１の設定ユニット
１２０１  第２の設定ユニット
１３０１  第１の停止ユニット
１４０１  第２の判定ユニット
１４０２  第２の送信ユニット
１４０３  第２の受信ユニット
１４０４  第２の通知ユニット
１５０１  第２の制御ユニット
１６０１  第３の設定ユニット
１７０１  第４の設定ユニット
１８０１  第２の停止ユニット
１９０１  第３の判定ユニット
１９０２  第３の受信ユニット
１９０３  第３の制御ユニット
１９０４  第３の通知ユニット
２００１  第３の送信ユニット
２１０１  第５の設定ユニット
２２０１  第６の設定ユニット
２３０１  第３の停止ユニット
２４０１  第４の受信ユニット
２４０２  処理ユニット
２４０３  第４の送信ユニット
【図１】
2015500594.tif 000003
【図２】
2015500594.tif 000004
【図３】
2015500594.tif 000005
【図４】
2015500594.tif 000006
【図５】
2015500594.tif 000007
【図６】
2015500594.tif 000008
【図７】
2015500594.tif 000009
【図８】
2015500594.tif 000010
【図９】
2015500594.tif 000011
【図１０】
2015500594.tif 000012
【図１１】
2015500594.tif 000013
【図１２】
2015500594.tif 000014
【図１３】
2015500594.tif 000015
【図１４】
2015500594.tif 000016
【図１５】
2015500594.tif 000017
【図１６】
2015500594.tif 000018
【図１７】
2015500594.tif 000019
【図１８】
2015500594.tif 000020
【図１９】
2015500594.tif 000021
【図２０】
2015500594.tif 000022
【図２１】
2015500594.tif 000023
【図２２】
2015500594.tif 000024
【図２３】
2015500594.tif 000025
【図２４】
2015500594.tif 000026
【手続補正書】
【提出日】平成26年6月30日(2014.6.30)
【手続補正１】
【補正対象書類名】明細書
【補正対象項目名】００４０
【補正方法】変更
【補正の内容】
【００４０】
実施形態３
本発明の当該実施形態では電力制御方法を提供する。図３に示すように、当該方法は以下のステップを含む。
【手続補正２】
【補正対象書類名】特許請求の範囲
【補正対象項目名】全文
【補正方法】変更
【補正の内容】
【特許請求の範囲】
【請求項１】
エア・インタフェースの受信総広帯域電力ＲＴＷＰが設定された第１の輻輳閾値を超過したかどうかを判定するように構成された第１の判定ユニットと、
前記エア・インタフェースの前記ＲＴＷＰが設定された前記第１の輻輳閾値を超過したと前記第１の判定ユニットが判定したときに、輻輳指示を無線ネットワーク・コントローラＲＮＣに送信するように構成された第１の送信ユニットであって、前記輻輳指示は、前記ＲＮＣがターゲット信号対雑音比ＳＩＲを上方制御することを禁じられていることを示すために使用される第１の送信ユニットと、
前記ＲＮＣにより送信されたターゲットＳＩＲを受信するように構成された第１の受信ユニットと、
前記ＲＮＣにより送信され前記第１の受信ユニットにより受信された前記ターゲットＳＩＲを下方制御するように構成された第１の制御ユニットと、
前記第１の制御ユニットにより下方制御された前記ターゲットＳＩＲに基づいて、送信電力を減らすようにユーザ装置ＵＥに通知するように構成された第１の通知ユニットと、
を備える、電力制御装置。
【請求項２】
パケット交換ドメイン・サービスを実行しているＵＥを下方制御が優先的に実施されているＵＥとして設定するように構成された第１の設定ユニットであって、前記第１の設定ユニットはデータ送信を行っていないＵＥを下方制御が優先的に実施されているＵＥとして設定するようにさらに構成される第１の設定ユニットをさらに備える、請求項１に記載の電力制御装置。
【請求項３】
前記第１の輻輳閾値より小さい第２の輻輳閾値を設定するように構成された第２の設定ユニットをさらに備え、
前記第１の判定ユニットは、前記エア・インタフェースの前記ＲＴＷＰが前記第２の設定ユニットにより設定された前記第２の輻輳閾値を超過したかどうかを判定するようにさらに構成され、
前記エア・インタフェースの前記ＲＴＷＰが前記第２の輻輳閾値を超過したときには、
前記第１の受信ユニットは、前記ＲＮＣにより送信された、下方制御が優先的に実施されているＵＥのターゲットＳＩＲを受信するようにさらに構成され、
前記第１の制御ユニットは、前記ＲＮＣにより送信され前記第１の受信ユニットにより受信される、下方制御が優先的に実施されている前記ＵＥの前記ターゲットＳＩＲを下方制御するようにさらに構成され、
前記第１の通知ユニットは、前記第１の制御ユニットにより下方制御された前記ターゲットＳＩＲに基づいて、下方制御が優先的に実施されている前記ＵＥに送信電力を減らすよう通知するようにさらに構成される、
請求項２に記載の電力制御装置。
【請求項４】
アップリンク・パケット・スケジューリングを停止するように構成された第１の停止ユニットをさらに備える、請求項１乃至３の何れか１項に記載の電力制御装置。
【請求項５】
前記第１の制御ユニットは、前記エア・インタフェースの前記ＲＴＷＰが前記第１の輻輳閾値より小さいときに、前記ＲＮＣにより送信された前記ターゲットＳＩＲを上方制御するようにさらに構成され、前記エア・インタフェースの前記ＲＴＷＰが前記第１の輻輳閾値に等しいときに、上方制御した前記ターゲットＳＩＲは前記ＲＮＣにより送信されたターゲットＳＩＲより大きくない、請求項１乃至４の何れか１項に記載の電力制御装置。
【請求項６】
エア・インタフェースの受信総広帯域電力ＲＴＷＰが設定された第１の輻輳閾値を超過したかどうかを判定するように構成された第２の判定ユニットと、
前記エア・インタフェースの前記ＲＴＷＰが設定された前記第１の輻輳閾値を超過したと前記第２の判定ユニットが判定したときには、輻輳指示を無線ネットワーク・コントローラＲＮＣに送信するように構成された第２の送信ユニットであって、前記輻輳指示は、前記ＲＮＣがターゲット信号対雑音比ＳＩＲを上方制御することを禁じられていることを示すために使用された第２の送信ユニットと、
前記ＲＮＣにより送信されたターゲットＳＩＲを受信するように構成された第２の受信ユニットと、
前記ＲＮＣにより送信され前記第２の受信ユニットにより受信された前記ターゲットＳＩＲに基づいて、送信電力を制限するようにユーザ装置ＵＥに通知するように構成された第２の通知ユニットと、
を備える、電力制御装置。
【請求項７】
前記第２の受信ユニットが前記ＲＮＣにより送信された前記ターゲットＳＩＲを受信した後に、前記ＲＮＣにより送信された前記ターゲットＳＩＲを下方制御するように構成された第２の制御ユニットをさらに備え、
前記第２の通知ユニットは、前記第２の制御ユニットにより下方制御された前記ターゲットＳＩＲに基づいて、前記送信電力を減らすように前記ユーザ装置ＵＥに通知するようにさらに構成される、
請求項６に記載の電力制御装置。
【請求項８】
パケット交換ドメイン・サービスを実行しているＵＥを下方制御が優先的に実施されているＵＥとして設定するように構成された第３の設定ユニットをさらに備え、
前記第３の設定ユニットは、データ送信を行っていないＵＥを下方制御が優先的に実施されているＵＥとして設定するようにさらに構成される、
請求項６または７に記載の電力制御装置。
【請求項９】
前記第１の輻輳閾値より小さい第２の輻輳閾値を設定するように構成された第４の設定ユニットをさらに備え、
前記第２の判定ユニットは、前記エア・インタフェースの前記ＲＴＷＰが前記第４の設定ユニットが設定した前記第２の輻輳閾値を超過したかどうかを判定するようにさらに構成され、
前記エア・インタフェースの前記ＲＴＷＰが前記第２の輻輳閾値を超過したときには、
前記第２の受信ユニットは、前記ＲＮＣにより送信された、下方制御が優先的に実施されているＵＥのターゲットＳＩＲを受信するようにさらに構成され、
前記第２の制御ユニットは、前記ＲＮＣにより送信され前記第２の受信ユニットにより受信された、下方制御が優先的に実施されている前記ＵＥの前記ターゲットＳＩＲを下方制御するようにさらに構成され、
前記第２の通知ユニットは、前記第２の制御ユニットにより下方制御された前記ターゲットＳＩＲに基づいて、下方制御が優先的に実施されている前記ＵＥに送信電力を減らすよう通知するようにさらに構成される、
請求項８に記載の電力制御装置。
【請求項１０】
アップリンク・パケット・スケジューリングを停止するように構成された第２の停止ユニットをさらに備える、請求項６乃至９の何れか１項に記載の電力制御装置。
【請求項１１】
前記第２の制御ユニットは、前記エア・インタフェースの前記ＲＴＷＰが前記第１の輻輳閾値より小さいときに前記ＲＮＣにより送信された前記ターゲットＳＩＲを上方制御するようにさらに構成され、前記エア・インタフェースの前記ＲＴＷＰが前記第１の輻輳閾値に等しいときに、上方制御した前記ターゲットＳＩＲは前記ＲＮＣにより送信されたターゲットＳＩＲより大きくない、請求項６乃至１０の何れか１項に記載の電力制御装置。
【請求項１２】
無線ネットワーク・コントローラＲＮＣにより送信されたターゲット信号対雑音比ＳＩＲを受信するように構成された第３の受信ユニットと、
エア・インタフェースの受信総広帯域電力ＲＴＷＰが設定された第１の輻輳閾値を超過したかどうかを判定するように構成された第３の判定ユニットと、
前記エア・インタフェースの前記ＲＴＷＰが設定された前記第１の輻輳閾値を超過したと前記第３の判定ユニットが判定したときには、前記ＲＮＣにより送信された前記ターゲットＳＩＲを下方制御するように構成された第３の制御ユニットと、
前記第３の制御ユニットにより下方制御された前記ターゲットＳＩＲに基づいて、送信電力を減らすようにユーザ装置ＵＥに通知するように構成された第３の通知ユニットと、
を備える、電力制御装置。
【請求項１３】
前記第３の受信ユニットが前記ＲＮＣにより送信された前記ターゲットＳＩＲを受信する前に、輻輳指示を前記ＲＮＣに送信するように構成された第３の送信ユニットであって、前記輻輳指示は前記ＲＮＣが前記ターゲット信号対雑音比ＳＩＲの上方制御を禁じられていることを示すのに使用される第３の送信ユニットをさらに備え、
前記第３の受信ユニットは、前記ＲＮＣにより送信された上方制御されていない前記ターゲットＳＩＲを受信するようにさらに構成され、
前記第３の制御ユニットは、前記ＲＮＣにより送信され前記第３の受信ユニットにより受信される上方制御されていない前記ターゲットＳＩＲを下方制御するようにさらに構成される、
請求項１２に記載の電力制御装置。
【請求項１４】
パケット交換ドメイン・サービスを実行しているＵＥを下方制御が優先的に実施されているＵＥとして設定するように構成された第５の設定ユニットであって、前記第５の設定ユニットは、データ送信を行っていないＵＥを下方制御が優先的に実施されているＵＥとして設定するようにさらに構成される第５の設定ユニットをさらに備える、請求項１２または１３に記載の電力制御装置。
【請求項１５】
前記第１の輻輳閾値より小さい第２の輻輳閾値を設定するように構成された第６の設定ユニットをさらに備え、
前記第３の判定ユニットは、前記エア・インタフェースの前記ＲＴＷＰが前記第６の設定ユニットにより設定された前記第２の輻輳閾値を超過したかどうかを判定するようにさらに構成され、
前記第３の受信ユニットは、前記ＲＮＣにより送信された、下方制御が優先的に実施されているＵＥのターゲットＳＩＲを受信するようにさらに構成され、
前記第３の制御ユニットは、前記ＲＮＣにより送信され前記第３の受信ユニットにより受信される、下方制御が優先的に実施されている前記ＵＥの前記ターゲットＳＩＲを下方制御するようにさらに構成され、
前記第３の通知ユニットは、前記第３の制御ユニットにより下方制御された前記ターゲットＳＩＲに基づいて、下方制御が優先的に実施されている前記ＵＥに送信電力を減らすよう通知するようにさらに構成される、
をさらに備える、請求項１４に記載の電力制御装置。
【請求項１６】
アップリンク・パケット・スケジューリングを停止するように構成された第３の停止ユニットをさらに備える、請求項１５に記載の電力制御装置。
【請求項１７】
前記第３の制御ユニットは、前記エア・インタフェースの前記ＲＴＷＰが前記第１の輻輳閾値より小さいときに前記ＲＮＣにより送信された前記ターゲットＳＩＲを上方制御するようにさらに構成され、前記エア・インタフェースの前記ＲＴＷＰが前記第１の輻輳閾値に等しいときに、上方制御した前記ターゲットＳＩＲは前記ＲＮＣにより送信されたターゲットＳＩＲより大きくない、請求項１２乃至１６の何れか１項に記載の電力制御装置。
【請求項１８】
基地局のエア・インタフェースの受信総広帯域電力ＲＴＷＰが設定された第１の輻輳閾値を超過したと前記基地局が判定したときには、前記基地局により送信された輻輳指示を受信するように構成された第４の受信ユニットと、
前記第４の受信ユニットにより受信された前記輻輳指示に従って、ターゲット信号対雑音比ＳＩＲの上方制御を禁止するように構成された処理ユニットと、
上方制御されていない前記ターゲットＳＩＲを前記基地局に送信するように構成された第４の送信ユニットと、
を備える、電力制御装置。
【請求項１９】
前記処理ユニットは、前記第４の受信ユニットが前記基地局により送信された次の輻輳指示を事前設定禁止解禁期間に受信しないときには、前記ターゲットＳＩＲの上方制御の禁止を解禁するようにさらに構成された、請求項１８に記載の電力制御装置。
【国際調査報告】
2015500594.tif 000027
2015500594.tif 000028
2015500594.tif 000029
2015500594.tif 000030